(57)【要約】【課題】高精度なトラッキングサーボ制御を実現する。【解決手段】凸部２１（記録領域）と凹部２２（非記録領域）とを有する凹凸パターン２０によって円板状の基材における一面のサーボパターン領域にサーボパターン２０ｓが形成された回転型の磁気ディスク１０Ａであって、サーボパターン領域におけるバーストパターン領域Ａｂには、凹部２２でそれぞれ構成された複数のバースト信号単位部が形成され、バースト信号単位部は、回転方向（矢印Ｒ）に沿った側の両辺２２ａ，２２ｂのうちの一方の辺２２ａにおいて、回転方向における両端部よりも、回転方向における中央部が他方の辺２２ｂ側に位置すると共に、一方の辺２２ａにおける両端部と他方の辺２２ｂにおける両端部との間の半径方向に沿った長さＬ１に対する一方の辺２２ａにおける両端部と中央部との間の半径方向に沿った長さＬ２の比が０．２以下の範囲内となるように形成されている。【選択図】図５
2008135102.tif 000002
【特許請求の範囲】
【請求項１】
記録領域と非記録領域とを有するパターンによって円板状の基材における少なくとも一面のサーボパターン領域にサーボパターンが形成された回転型の磁気記録媒体であって、
前記サーボパターン領域におけるバーストパターン領域には、前記非記録領域でそれぞれ構成された複数のバースト信号単位部が形成され、
前記バースト信号単位部は、当該磁気記録媒体の回転方向に沿った側の両辺のうちの少なくとも一方の辺において、当該回転方向における両端部よりも、当該回転方向における中央部が他方の辺側に位置すると共に、前記一方の辺における前記両端部と前記他方の辺における前記両端部との間の当該磁気記録媒体の半径方向に沿った長さに対する当該一方の辺における当該両端部と前記中央部との間の当該半径方向に沿った長さの比が０．２以下の範囲内となるように形成されている磁気記録媒体。
【請求項２】
記録領域と非記録領域とを有するパターンによって円板状の基材における少なくとも一面のサーボパターン領域にサーボパターンが形成された回転型の磁気記録媒体であって、
前記サーボパターン領域におけるバーストパターン領域には、前記記録領域でそれぞれ構成された複数のバースト信号単位部が形成され、
前記バースト信号単位部は、当該磁気記録媒体の回転方向に沿った側の両辺のうちの少なくとも一方の辺において、当該回転方向における両端部よりも、当該回転方向における中央部が他方の辺側に位置すると共に、前記一方の辺における前記両端部と前記他方の辺における前記両端部との間の当該磁気記録媒体の半径方向に沿った長さに対する当該一方の辺における当該両端部と前記中央部との間の当該半径方向に沿った長さの比が０．２以下の範囲内となるように形成されている磁気記録媒体。
【請求項３】
記録領域と非記録領域とを有するパターンによって円板状の基材における少なくとも一面のサーボパターン領域にサーボパターンが形成された回転型の磁気記録媒体であって、
前記サーボパターン領域におけるバーストパターン領域には、前記非記録領域でそれぞれ構成された複数のバースト信号単位部が形成され、
前記バースト信号単位部は、当該磁気記録媒体の半径方向に沿った側の両辺のうちの少なくとも一方の辺において、当該半径方向における両端部よりも、当該半径方向における中央部が他方の辺側に位置すると共に、前記一方の辺における前記両端部と前記他方の辺における前記両端部との間の当該磁気記録媒体の回転方向に沿った長さに対する当該一方の辺における当該両端部と前記中央部との間の当該回転方向に沿った長さの比が０．２以下の範囲内となるように形成されている磁気記録媒体。
【請求項４】
記録領域と非記録領域とを有するパターンによって円板状の基材における少なくとも一面のサーボパターン領域にサーボパターンが形成された回転型の磁気記録媒体であって、
前記サーボパターン領域におけるバーストパターン領域には、前記記録領域でそれぞれ構成された複数のバースト信号単位部が形成され、
前記バースト信号単位部は、当該磁気記録媒体の半径方向に沿った側の両辺のうちの少なくとも一方の辺において、当該半径方向における両端部よりも、当該半径方向における中央部が他方の辺側に位置すると共に、前記一方の辺における前記両端部と前記他方の辺における前記両端部との間の当該磁気記録媒体の回転方向に沿った長さに対する当該一方の辺における当該両端部と前記中央部との間の当該回転方向に沿った長さの比が０．２以下の範囲内となるように形成されている磁気記録媒体。
【請求項５】
前記バースト信号単位部は、前記両端部から前記中央部に向かうに従って前記他方の辺に徐々に接近するように前記一方の辺が形成されている請求項１から４のいずれかに記載の磁気記録媒体。
【請求項６】
請求項１から５のいずれかに記載の磁気記録媒体と、当該磁気記録媒体における前記サーボパターン領域から読み取られたサーボ信号に基づいてトラッキングサーボ制御処理を実行する制御部とを備えている記録再生装置。
【請求項７】
請求項１から５のいずれかに記載の磁気記録媒体における前記パターンの前記記録領域に対応して形成された凹部と、前記パターンの前記非記録領域に対応して形成された凸部とを有する凹凸パターンが形成された磁気記録媒体製造用のスタンパー。
【発明の詳細な説明】
【技術分野】
【０００１】
本発明は、記録領域と非記録領域とを有するパターンによって円板状の基材における少なくとも一面のサーボパターン領域にサーボパターンが形成された回転型の磁気記録媒体、その磁気記録媒体を備えて構成された記録再生装置、およびその磁気記録媒体を製造するためのスタンパーに関するものである。
【背景技術】
【０００２】
この種の磁気記録媒体として、サーボ領域（サーボパターン領域）およびデータ領域（データ記録領域）の双方において、強磁性層で構成された凹凸パターンが形成されると共に、凹凸パターンにおける凹部内に非磁性体が埋め込まれて全体として平坦化されたディスクリートトラック媒体が特開２００６−２７７８６９号公報に開示されている。この場合、同公報において従来の磁気ディスクとして開示されているディスクリートトラック媒体では、上記の凹凸パターンにおける凸部で構成された記録トラックが形成されたデータ領域と、上記の凹凸パターンでサーボパターンが形成されたサーボ領域とがディスクリートトラック媒体の回転方向で交互に位置するように規定されている。また、サーボ領域内には、プリアンブル領域（プリアンブルパターン領域）、アドレス領域（アドレスパターン領域）およびバースト領域（バーストパターン領域）がディスクリートトラック媒体の回転方向において隣接するように規定されている。一方、同公報における発明の実施形態に係るディスクリートトラック媒体では、プリアンブル領域とアドレス領域との間、アドレス領域とバースト領域との間、およびバースト領域におけるＡＢバースト領域とＣＤバースト領域との間の少なくとも１箇所にデータ領域が規定されている。
【０００３】
この場合、上記の２つのディスクリートトラック媒体では、平面視四角形状（平面視矩形状）の複数のバースト信号単位部（バースト領域において「１つの非記録領域」として認識される１つの凹部）を有するバーストパターンが凹凸パターンによってバースト領域に形成されている。また、ＡＢバースト領域に形成されたバーストパターンは、Ａバースト領域に形成されたバースト信号単位部における外周側の一辺と、Ｂバースト領域に形成されたバースト信号単位部における内周側の一辺とがディスクリートトラック媒体の中心からの距離が等しくなるようにそれぞれ直線状に形成されると共に、Ａバースト領域に形成されたバースト信号単位部における内周側の一辺と、Ｂバースト領域に形成されたバースト信号単位部における外周側の一辺とが中心からの距離が等しくなるようにそれぞれ直線状に形成されている。さらに、ＣＤバースト領域に形成されたバーストパターンは、Ｃバースト領域に形成されたバースト信号単位部における外周側の一辺と、Ｄバースト領域に形成されたバースト信号単位部における内周側の一辺とが中心からの距離が等しくなるようにそれぞれ直線状に形成されると共に、Ｃバースト領域に形成されたバースト信号単位部における内周側の一辺と、Ｄバースト領域に形成されたバースト信号単位部における外周側の一辺とが中心からの距離が等しくなるようにそれぞれ直線状に形成されている。
【０００４】
また、各バースト領域に形成されたバーストパターンは、各バースト信号単位部の回転方向における上流側の一辺と回転方向における下流側の一辺とがそれぞれ直線状に形成されている。この場合、これらのディスクリートトラック媒体では、バースト信号単位部（凹部）における回転方向に沿った長さ（ディスクリートトラック媒体の半径方向に沿った側の両辺の間の距離）と、回転方向において隣接する２つのバースト信号単位部の間（凸部）における回転方向に沿った長さ（一方のバースト信号単位部における上流側の一辺と、他方のバースト信号単位部における下流側の一辺との間の距離）とがほぼ１：１となるように形成されている。
【特許文献１】特開２００６−２７７８６９号公報（第４−８頁、第１−９図）
【発明の開示】
【発明が解決しようとする課題】
【０００５】
ところが、従来のディスクリートトラック媒体（以下、「磁気ディスク」ともいう）には、以下の問題点がある。すなわち、従来の磁気ディスクでは、バーストパターンを構成する各バースト信号単位部における４つの辺をそれぞれ直線状に形成している。この場合、出願人は、図２６に示す磁気ディスク１０ａＺ（以下、従来の磁気ディスクおよびその構成要素については、符号の末尾に「Ｚ」を付して説明する）におけるバーストパターン領域ＡｂＺ内の凹凸パターン２０Ｚのように、バースト信号単位部を構成する凹部２２Ｚにおける各辺２２ａＺ〜２２ｄＺをそれぞれ直線状に形成したときに、図２７に示すように、その磁化パターン３０Ｚ（一例として、ＭＦＭ（磁気力顕微鏡）で観察したパターン）において、バースト信号単位部を構成する非磁化領域３２Ｚにおいて、各辺３２ａＺ〜３２ｄＺが両端部から中央部に向かうに従って対向する辺から徐々に離間するようにして丸みを帯びる現象を見出した。
【０００６】
この場合、今日の磁気ディスクでは、データ記録トラックの狭ピッチ化および磁気ディスクに対する記録再生速度の高速化に伴い、記録再生処理時において磁気ヘッドを所望の記録再生位置に高精度で位置させ得る高精度なトラッキングサーボ制御が必要となっている。したがって、記録再生処理時において、磁気ディスク上における半径方向の磁気ヘッドの位置を正確に特定し得る高精度なバースト信号（フォロイング精度を十分に向上し得るバースト信号）の読み取りが必要となっている。しかしながら、従来の磁気ディスク１０ａＺのように、その磁化パターン３０Ｚにおいて、バースト信号単位部を構成する非磁化領域３２Ｚにおける回転方向（矢印Ｒで示す向き）に沿った側の両辺３２ａＺ，３２ｂＺが丸みを帯びた状態では、高精度なバースト信号を得るのが困難であることに起因して、フォロイング精度が低下する。このため、従来の磁気ディスク１０ａＺには、高精度なトラッキングサーボ制御が困難となっているという問題点がある。
【０００７】
また、高精度なトラッキングサーボ制御の実現には、バースト信号の出力レベル（バーストパターンの読み取り時において再生ヘッドから出力される信号の出力レベル）も非常に重要な要素となっている。しかしながら、従来の磁気ディスク１０ａＺのように、その磁化パターン３０Ｚにおいて、バースト信号単位部を構成する非磁化領域３２Ｚにおける半径方向（同図における上下方向）に沿った側の両辺３２ｃＺ，３２ｄＺが丸みを帯びた状態では、磁気ディスク１０ａＺの回転方向に沿った非磁化領域３２Ｚの長さ（バースト信号単位部として認識される領域の回転方向に沿った長さ）と、回転方向において隣り合う非磁化領域３２Ｚ，３２Ｚの間の磁化領域３１Ｚの長さ（図２６における凹部２２Ｚ，２２Ｚ間の凸部２１Ｚに対応する領域の回転方向に沿った長さ）との比率が所望の比率（一例として、１：１）から大きく相違する状態となる。このため、バーストパターンの読み取り時において、サーボ信号読み取り用の基本クロックに同期してバースト信号単位部を読み取るのが困難となる結果、十分な出力レベルのバースト信号を得るのが困難となる。このように、バースト信号の出力レベルが低いことに起因して、従来の磁気ディスク１０ａＺには、高精度なトラッキングサーボ制御が困難となっているという問題点がある。なお、本明細書における「磁化領域」とは、「磁化パターンにおいて所定レベル以上の磁界が存在すると認識される領域」を意味する。また、本明細書における「非磁化領域」とは、「磁界の強度が上記の磁化領域よりも低いと認識される領域、または、実質的に磁界が存在しないと認識される領域」を意味する。
【０００８】
一方、上記の磁気ディスク１０ａＺにおける凹凸パターン２０Ｚに代えて、図２８に示すように、バースト信号単位部を凸部２１Ｚで構成すると共に、凸部２１Ｚにおける各辺２１ａＺ〜２１ｄＺをそれぞれ直線状に形成した凹凸パターン２０Ｚをバーストパターン領域ＡｂＺに形成した磁気ディスク１０ｂＺが存在する。この場合、出願人は、この磁気ディスク１０ｂＺにおいても、上記の磁気ディスク１０ａＺと同様にして、図２９に示すように、その磁化パターン３０Ｚにおいて、バースト信号単位部を構成する磁化領域３１Ｚにおいて、各辺３１ａＺ〜３１ｄＺが両端部から中央部に向かうに従って対向する辺から徐々に離間するようにして丸みを帯びる現象を見出した。この磁気ディスク１０ｂＺのように、その磁化パターン３０Ｚにおいて、バースト信号単位部を構成する磁化領域３１Ｚにおける回転方向（矢印Ｒで示す向き）に沿った側の両辺３１ａＺ，３１ｂＺが丸みを帯びた状態では、上記の磁気ディスク１０ａＺと同様にして、高精度なバースト信号を得るのが困難であることに起因して、フォロイング精度が低下する。このため、従来の磁気ディスク１０ｂＺには、高精度なトラッキングサーボ制御が困難となっているという問題点がある。
【０００９】
また、従来の磁気ディスク１０ｂＺのように、その磁化パターン３０Ｚにおいて、バースト信号単位部を構成する磁化領域３１Ｚにおける半径方向（同図における上下方向）に沿った側の両辺３１ｃＺ，３１ｄＺが丸みを帯びた状態では、磁気ディスク１０ｂＺの回転方向に沿った磁化領域３１Ｚの長さ（バースト信号単位部として認識される領域の回転方向に沿った長さ）と、回転方向において隣り合う磁化領域３１Ｚ，３１Ｚの間の非磁化領域３２Ｚの長さ（図２８における凸部２１Ｚ，２１Ｚ間の凹部２２Ｚに対応する領域の回転方向に沿った長さ）との比率が所望の比率（一例として、１：１）から大きく相違する状態となるため、従来の磁気ディスク１０ａＺと同様にして、バーストパターンの読み取り時において、サーボ信号読み取り用の基本クロックに同期してバースト信号単位部を読み取るのが困難となる結果、十分な出力レベルのバースト信号を得るのが困難となる。このように、バースト信号の出力レベルが低いことに起因して、従来の磁気ディスク１０ｂＺには、高精度なトラッキングサーボ制御が困難となっているという問題点がある。
【００１０】
本発明は、かかる問題点に鑑みてなされたものであり、高精度なトラッキングサーボ制御を実現し得る磁気記録媒体、およびその磁気記録媒体を備えた記録再生装置、並びにその磁気記録媒体を製造し得るスタンパーを提供することを主目的とする。
【課題を解決するための手段】
【００１１】
上記目的を達成すべく本発明に係る磁気記録媒体は、記録領域と非記録領域とを有するパターンによって円板状の基材における少なくとも一面のサーボパターン領域にサーボパターンが形成された回転型の磁気記録媒体であって、前記サーボパターン領域におけるバーストパターン領域には、前記非記録領域でそれぞれ構成された複数のバースト信号単位部が形成され、前記バースト信号単位部は、当該磁気記録媒体の回転方向に沿った側の両辺のうちの少なくとも一方の辺において、当該回転方向における両端部よりも、当該回転方向における中央部が他方の辺側に位置すると共に、前記一方の辺における前記両端部と前記他方の辺における前記両端部との間の当該磁気記録媒体の半径方向に沿った長さに対する当該一方の辺における当該両端部と前記中央部との間の当該半径方向に沿った長さの比が０．２以下の範囲内となるように形成されている。
【００１２】
この場合、本明細書における「記録領域」とは、「記録された磁気的信号を読み出し可能に保持するように構成された領域（つまり磁気的信号を読み出し可能に保持する能力を有するように構成された領域）」を意味する。また、本明細書における「非記録領域」とは、「磁気的信号を読み出し可能に保持する上記の能力が記録領域の能力よりも低くなるように構成された領域、または、その能力を実質的に有しないように構成された領域」を意味する。具体的には、本明細書における「非記録領域」とは、「磁気的信号を記録した状態において、その領域から発生する磁界が上記の記録領域よりも小さい領域、または、その領域から発生する磁界が実質的には存在しない領域」を意味する。さらに、本明細書における「一方の辺において、両端部よりも中央部が他方の辺側に位置するように形成されている」との状態は、「一方の辺において、中央部が他方の辺側に凹むように形成されている」との状態、または「一方の辺において、両端部が他方の辺から離間するようにして突出するように形成されている」との状態を意味する。
【００１３】
また、本発明に係る磁気記録媒体は、記録領域と非記録領域とを有するパターンによって円板状の基材における少なくとも一面のサーボパターン領域にサーボパターンが形成された回転型の磁気記録媒体であって、前記サーボパターン領域におけるバーストパターン領域には、前記記録領域でそれぞれ構成された複数のバースト信号単位部が形成され、前記バースト信号単位部は、当該磁気記録媒体の回転方向に沿った側の両辺のうちの少なくとも一方の辺において、当該回転方向における両端部よりも、当該回転方向における中央部が他方の辺側に位置すると共に、前記一方の辺における前記両端部と前記他方の辺における前記両端部との間の当該磁気記録媒体の半径方向に沿った長さに対する当該一方の辺における当該両端部と前記中央部との間の当該半径方向に沿った長さの比が０．２以下の範囲内となるように形成されている。
【００１４】
また、本発明に係る磁気記録媒体は、記録領域と非記録領域とを有するパターンによって円板状の基材における少なくとも一面のサーボパターン領域にサーボパターンが形成された回転型の磁気記録媒体であって、前記サーボパターン領域におけるバーストパターン領域には、前記非記録領域でそれぞれ構成された複数のバースト信号単位部が形成され、前記バースト信号単位部は、当該磁気記録媒体の半径方向に沿った側の両辺のうちの少なくとも一方の辺において、当該半径方向における両端部よりも、当該半径方向における中央部が他方の辺側に位置すると共に、前記一方の辺における前記両端部と前記他方の辺における前記両端部との間の当該磁気記録媒体の回転方向に沿った長さに対する当該一方の辺における当該両端部と前記中央部との間の当該回転方向に沿った長さの比が０．２以下の範囲内となるように形成されている。
【００１５】
また、本発明に係る磁気記録媒体は、記録領域と非記録領域とを有するパターンによって円板状の基材における少なくとも一面のサーボパターン領域にサーボパターンが形成された回転型の磁気記録媒体であって、前記サーボパターン領域におけるバーストパターン領域には、前記記録領域でそれぞれ構成された複数のバースト信号単位部が形成され、前記バースト信号単位部は、当該磁気記録媒体の半径方向に沿った側の両辺のうちの少なくとも一方の辺において、当該半径方向における両端部よりも、当該半径方向における中央部が他方の辺側に位置すると共に、前記一方の辺における前記両端部と前記他方の辺における前記両端部との間の当該磁気記録媒体の回転方向に沿った長さに対する当該一方の辺における当該両端部と前記中央部との間の当該回転方向に沿った長さの比が０．２以下の範囲内となるように形成されている。
【００１６】
さらに、本発明に係る磁気記録媒体は、前記両端部から前記中央部に向かうに従って前記他方の辺に徐々に接近するように前記一方の辺が形成されている。
【００１７】
また、本発明に係る記録再生装置は、上記のいずれかの磁気記録媒体と、当該磁気記録媒体における前記サーボパターン領域から読み取られたサーボ信号に基づいてトラッキングサーボ制御処理を実行する制御部とを備えている。
【００１８】
さらに、本発明に係るスタンパーは、磁気記録媒体製造用のスタンパーであって、上記のいずれかの磁気記録媒体における前記パターンの前記記録領域に対応して形成された凹部と、前記パターンの前記非記録領域に対応して形成された凸部とを有する凹凸パターンが形成されている。
【発明の効果】
【００１９】
本発明に係る磁気記録媒体および記録再生装置では、回転方向に沿った側の両辺のうちの少なくとも一方の辺において、回転方向における両端部よりも、回転方向における中央部が他方の辺側に位置すると共に、一方の辺における両端部と他方の辺における両端部との間の半径方向に沿った長さに対する一方の辺における両端部と中央部との間の半径方向に沿った長さの比が０．２以下の範囲内となるようにバースト信号単位部が非記録領域で形成されている。これにより、この磁気記録媒体および記録再生装置によれば、磁化パターンにおいてバースト信号単位部を構成する非磁化領域の回転方向に沿った側の辺が丸みを帯びる事態を回避できるため、その直線性を十分に向上させることができる。したがって、この磁気記録媒体およびこの記録再生装置によれば、十分に高精度なバースト信号を得ることができる結果、フォロイング精度を十分に向上させることができるため、高精度なトラッキングサーボ制御を実行することができる。
【００２０】
また、本発明に係る磁気記録媒体および記録再生装置では、回転方向に沿った側の両辺のうちの少なくとも一方の辺において、回転方向における両端部よりも、回転方向における中央部が他方の辺側に位置すると共に、一方の辺における両端部と他方の辺における両端部との間の半径方向に沿った長さに対する一方の辺における両端部と中央部との間の半径方向に沿った長さの比が０．２以下の範囲内となるようにバースト信号単位部が記録領域で形成されている。これにより、この磁気記録媒体および記録再生装置によれば、磁化パターンにおいてバースト信号単位部を構成する磁化領域の回転方向に沿った側の辺が丸みを帯びる事態を回避することができるため、その直線性を十分に向上させることができる。したがって、この磁気記録媒体およびこの記録再生装置によれば、十分に高精度なバースト信号を得ることができる結果、フォロイング精度を十分に向上させることができるため、高精度なトラッキングサーボ制御を実行することができる。
【００２１】
また、本発明に係る磁気記録媒体および記録再生装置では、半径方向に沿った側の両辺のうちの少なくとも一方の辺において、半径方向における両端部よりも、半径方向における中央部が他方の辺側に位置すると共に、一方の辺における両端部と他方の辺における両端部との間の磁気記録媒体の回転方向に沿った長さに対する一方の辺における両端部と中央部との間の回転方向に沿った長さの比が０．２以下の範囲内となるようにバースト信号単位部が非記録領域で形成されている。これにより、この磁気記録媒体および記録再生装置によれば、磁化パターンにおいてバースト信号単位部を構成する非磁化領域の半径方向に沿った側の辺が丸みを帯びる事態を回避することができるため、その直線性を十分に向上させることができる。したがって、この磁気記録媒体およびこの記録再生装置によれば、サーボ信号読み取り用の基本クロックに同期してバースト信号単位部を確実に読み取ることができるため、その出力レベルが十分に高いバースト信号を得ることができる結果、高精度なトラッキングサーボ制御を実行することができる。
【００２２】
また、本発明に係る磁気記録媒体および記録再生装置では、半径方向に沿った側の両辺のうちの少なくとも一方の辺において、半径方向における両端部よりも、半径方向における中央部が他方の辺側に位置すると共に、一方の辺における両端部と他方の辺における両端部との間の磁気記録媒体の回転方向に沿った長さに対する一方の辺における両端部と中央部との間の回転方向に沿った長さの比が０．２以下の範囲内となるようにバースト信号単位部が記録領域で形成されている。これにより、この磁気記録媒体および記録再生装置によれば、磁化パターンにおいてバースト信号単位部を構成する磁化領域の半径方向に沿った側の辺が丸みを帯びる事態を回避できるため、その直線性を十分に向上させることができる。したがって、この磁気記録媒体およびこの記録再生装置によれば、サーボ信号読み取り用の基本クロックに同期してバースト信号単位部を確実に読み取ることができるため、その出力レベルが十分に高いバースト信号を得ることができる結果、高精度なトラッキングサーボ制御を実行することができる。
【００２３】
さらに、本発明に係る磁気記録媒体および記録再生装置によれば、両端部から中央部に向かうに従って他方の辺に徐々に接近するように一方の辺を形成してバースト信号単位部を構成したことにより、例えば上記の一方の辺における中央部よりも端部寄りの部位を従来の磁気ディスクと同様に直線状に形成すると共に一方の辺における中央部のみを他方の辺に近接させる構成とは異なり、磁化パターンにおける一方の辺の中央部よりも端部寄りの部位が他方の辺から離間するように磁化パターンにおける一方の辺が非直線状となる事態を回避して、その直線性を確実に向上させることができる。
【００２４】
また、本発明に係るスタンパーによれば、上記のいずれかに記載の磁気記録媒体と、上記のいずれかに記載の磁気記録媒体におけるパターンの記録領域に対応して形成された凹部と、磁気記録媒体におけるパターンの非記録領域に対応して形成された凸部とを有する凹凸パターンを形成したことにより、磁化パターンにおいてバースト信号単位部を構成する領域（磁化領域、または非磁化領域）の各辺の直線性が十分に高い磁気記録媒体をインプリント法等によって容易に製造することができる。
【発明を実施するための最良の形態】
【００２５】
以下、添付図面を参照して、本発明に係る磁気記録媒体、記録再生装置およびスタンパーの最良の形態について説明する。
【００２６】
最初に、本発明に係る記録再生装置の構成について、図面を参照して説明する。
【００２７】
図１に示すハードディスクドライブ１は、本発明に係る記録再生装置の一例であって、モータ２、磁気ヘッド３、検出部４、ドライバ５、制御部６、記憶部７および磁気ディスク１０Ａを備えて、各種データの記録再生が可能に構成されている。この場合、磁気ディスク１０Ａは、本発明に係る磁気記録媒体の一例であるディスクリートトラック媒体（パターンド媒体の一例）であって、後述するように、全体として円板状に形成されてモータ２の回転軸に取り付けられている。一方、モータ２は、制御部６の制御に従って磁気ディスク１０Ａを一例として７２００ｒｐｍの回転数で定速回転させる。
【００２８】
磁気ヘッド３は、スイングアーム３ａを介してアクチュエータ３ｂに取り付けられると共に、磁気ディスク１０Ａに対する記録データの記録再生時においてアクチュエータ３ｂによってアーム３ａが回動させられることで磁気ディスク１０Ａ上を移動させられる。また、磁気ヘッド３は、磁気ディスク１０Ａのサーボパターン領域Ａｓ（図２，４参照）からのサーボデータの読み出しと、データ記録領域Ａｔ（図２，４参照）に対する記録データの磁気的な書き込みと、データ記録領域Ａｔに磁気的に書き込まれている記録データの読み出しとを実行する。なお、磁気ヘッド３は、実際には磁気ディスク１０Ａに対して磁気ヘッド３を浮上させるためのスライダの底面（エアベアリング面）に記録素子と再生素子とが形成されて構成されているが、スライダ、記録素子および再生素子等についての説明および図示を省略する。アクチュエータ３ｂは、制御部６の制御下でドライバ５から供給される駆動電流によってスイングアーム３ａをスイングさせることにより、磁気ヘッド３を磁気ディスク１０Ａ上の任意の記録再生位置に移動させる。
【００２９】
検出部４は、磁気ヘッド３によって出力された出力信号（アナログ信号：サーボ信号）からサーボデータを取得（検出）して制御部６に出力する。ドライバ５は、制御部６から出力された制御信号に従ってアクチュエータ３ｂを制御することで磁気ヘッド３を所望のデータ記録トラックにオントラックさせる。制御部６は、ハードディスクドライブ１を総括的に制御する。また、制御部６は、本発明における制御部の一例であって、検出部４から出力されたサーボデータ（「サーボパターン領域から読み取られたサーボ信号」の一例）と、記憶部７に記憶されているサーボ制御用データとに基づいてドライバ５を制御する（トラッキングサーボ制御処理の実行）。記憶部７は、制御部６の動作プログラムや、上記のサーボ制御用データなどを記憶する。
【００３０】
磁気ディスク１０Ａは、モータ２や磁気ヘッド３などと共にハードディスクドライブ１の筐体内に配設されている。この磁気ディスク１０Ａは、図３に示すように、軟磁性層１２、中間層１３および磁性層１４がガラス基材１１の上にこの順で形成されて、一例として、垂直記録方式による記録データの記録が可能に構成されている。この場合、磁性層１４は、一例として、突端部側（同図における上端部側）が磁性材料で形成された複数の凸部２１と、隣り合う凸部２１の間の凹部２２とが形成されて凹凸パターン２０を構成する。また、凹凸パターン２０の各凹部２２内には、ＳｉＯ２等の非磁性材料１５が埋め込まれ、これにより、磁気ディスク１０Ａの表面が平坦化されている。この場合、この磁気ディスク１０Ａでは、凸部２１の形成領域が本発明における記録領域に相当し、凹部２２の形成領域が本発明における非記録領域に相当する。さらに、この磁気ディスク１０Ａでは、各凹部２２内に埋め込まれた（隣り合う凸部２１，２１の間に埋め込まれた）非磁性材料１５、および磁性層１４（凸部２１）の表面を覆うようにして、ダイヤモンドライクカーボン（ＤＬＣ）等によって厚みが２ｎｍ程度の保護層１６（ＤＬＣ膜）が形成されている。また、保護層１６の表面には、磁気ヘッド３および磁気ディスク１０Ａの双方の傷付きを回避するための潤滑剤（一例として、フォンブリン系の潤滑剤）が塗布されている。
【００３１】
ガラス基材１１は、本発明における基材に相当し、ガラス板を表面研磨して厚みが０．６ｍｍ程度の円板状に形成されている。なお、本発明における基材は、ガラス基材に限定されず、アルミニウムやセラミックなどの各種非磁性材料で円板状に形成した基材を使用することができる。軟磁性層１２は、ＣｏＺｒＮｂ合金などの軟磁性材料をスパッタリングすることによって厚みが１００ｎｍ〜２００ｎｍ程度の薄膜状に形成されている。中間層１３は、磁性層１４を形成するための下地層として機能する層であって、ＣｒやＣｏＣｒ非磁性合金などの中間層形成用材料をスパッタリングすることによって厚みが４０ｎｍ程度の薄膜状に形成されている。磁性層１４は、前述したように、凹凸パターン２０（図４に示すデータトラックパターン２０ｔおよびサーボパターン２０ｓ）を構成する層であって、例えばＣｏＣｒＰｔ合金をスパッタリングした層に対してエッチング処理することによって各凹部２２が形成されている。
【００３２】
この場合、図２に示すように、この磁気ディスク１０Ａでは、各データ記録領域Ａｔの間にサーボパターン領域Ａｓが規定されてデータ記録領域Ａｔおよびサーボパターン領域Ａｓが磁気ディスク１０Ａの回転方向（矢印Ｒの向き）において交互に並ぶように規定されている。なお、本明細書では、回転方向において並ぶ２つのデータ記録領域Ａｔによって挟まれた領域（１つのデータ記録領域Ａｔにおける回転方向に対して下流側の端部から、他の１つのデータ記録領域Ａｔにおける回転方向に対して上流側の端部までの間の領域）をサーボパターン領域Ａｓとする。また、データ記録領域Ａｔにおける回転方向側の端部は、そのデータ記録領域に形成された複数のデータ記録トラック（各凸部２１）における回転方向側の各端部を連結した仮想線分（磁気ディスク１０Ａの半径方向に沿った直線状または円弧状の線分）と一致しているものとする。
【００３３】
また、この磁気ディスク１０Ａを搭載したハードディスクドライブ１では、前述したようにモータ２が制御部６の制御に従って磁気ディスク１０Ａを角速度一定で回転させるように構成されている。したがって、図２に示すように、この磁気ディスク１０Ａでは、単位時間当たりに磁気ヘッド３の下方を通過させられる磁気ディスク１０Ａ上の長さに比例して、磁気ディスク１０Ａの回転方向に沿ったデータ記録領域Ａｔの長さ、および回転方向に沿ったサーボパターン領域Ａｓの長さがデータトラックパターン２０ｔの中心Ｏから離間するほど長くなるように（データ記録領域Ａｔおよびサーボパターン領域Ａｓがその内周側領域よりも外周側領域ほど幅広となるように）規定されている。この結果、データ記録領域Ａｔ内に形成されたデータ記録トラック（凸部２１）における突端面の回転方向に沿った長さや、サーボパターン領域Ａｓ内に形成されたサーボパターン２０ｓ用の各凸部２１における突端面の回転方向に沿った基準の長さ、およびサーボパターン２０ｓ用の各凹部２２の回転方向に沿った基準の開口長（隣り合う２つの凸部２１における両突端面において対向する端部の間の長さ：例えば、単位信号長に対応する長さ）は、磁気ディスク１０Ａの内周側領域よりも外周側領域ほど長くなっている。なお、以下の説明において、凹部の開口長を「凹部の長さ」ともいう。
【００３４】
また、図４に示すように、データ記録領域Ａｔには、データトラックパターン２０ｔが形成されている。なお、同図および後に参照する図５，１１，１２，１７，１８，２０，２１では、凹凸パターン２０における凸部２１の形成部位（本発明における記録領域）を斜線で塗り潰して図示している。この場合、データ記録領域Ａｔ内のデータトラックパターン２０ｔは、中心Ｏ（図２参照）を中心として所定の配列ピッチで互いに分割された同心円状（または、螺旋状）の数多くのデータ記録用トラックを構成する複数の凸部２１（磁気ディスク１０Ａの回転方向に沿って連続的に形成されて回転方向に長い帯状の凸部２１）と、ガードバンド部を構成する複数の凹部２２（各凸部２１の間の凹部２２：トラック間凹部）とを備えて構成されている。また、データ記録領域Ａｔ内の各凸部２１および各凹部２２は、一例として、その半径方向の長さが互いにほぼ等しくなるように規定されると共に、凸部２１の形成ピッチ（すなわち、データ記録トラックのトラックピッチ）や、磁気ディスク１０Ａにおける半径方向の長さ（すなわち、データ記録トラックやガードバンド部の半径方向の長さ）が磁気ディスク１０Ａの内周部から外周部までの全域において互いにほぼ等しくなるように形成されている。
【００３５】
なお、磁気ディスク１０Ａの回転中心とデータトラックパターン２０ｔの中心Ｏとが一致しているのが好ましいが、磁気ディスク１０Ａの回転中心とデータトラックパターン２０ｔの中心Ｏとの間には、製造誤差に起因する３０〜５０μｍ程度の極く小さなずれが生じることがある。しかし、この程度のずれ量であれば磁気ヘッド３に対するトラッキングサーボ制御が十分に可能であるため、回転中心と中心Ｏとは、実質的には同様であるといえる。
【００３６】
一方、サーボパターン領域Ａｓには、トラッキングサーボ制御用の各種サーボパターンを構成する複数の凸部２１および複数の凹部２２を有する凹凸パターン２０（サーボパターン２０ｓ）が形成されている。具体的には、サーボパターン領域Ａｓ内には、サーボパターン２０ｓによってプリアンブルパターンが形成されたプリアンブルパターン領域Ａｐと、サーボパターン２０ｓによってアドレスパターンが形成されたアドレスパターン領域Ａａと、サーボパターン２０ｓによってバーストパターンが形成されたバーストパターン領域Ａｂとが規定されている。また、バーストパターン領域Ａｂ内には、バーストパターンにおける各信号領域に対応する領域Ａｂ１〜Ａｂ４の４つの領域が規定されている。
【００３７】
この場合、プリアンブルパターン領域Ａｐに形成されたプリアンブルパターンは、アドレスパターン領域Ａａやバーストパターン領域Ａｂ等から各種制御信号を読み取るための基準クロックを磁気ディスク１０Ａの回転状態（回転速度）に応じて補正するためのサーボパターンであって、磁気ディスク１０Ａの半径方向（同図における上下方向）に長い帯状の複数の凸部２１が磁気ディスク１０Ａの回転方向（矢印Ｒの向き）に沿って凹部２２を挟んで形成されている。この場合、プリアンブルパターン領域Ａｐに形成された各凸部２１における回転方向に沿った長さ、および各凹部２２の回転方向に沿った長さは、中心Ｏからの距離が等しい同一半径位置において互いに等しい長さで、かつ磁気ディスク１０Ａの内周側領域よりも磁気ディスク１０Ａの外周側領域側の方が長くなるように規定されている。
【００３８】
また、アドレスパターン領域Ａａに形成されたアドレスパターンは、磁気ヘッド３がオントラックしているトラックのトラック番号や、磁気ヘッド３が位置しているセクタのセクタ番号等を示すアドレスデータに対応して形成されたサーボパターンであって、各凸部２１の回転方向に沿った各長さと、各凹部２２の回転方向に沿った各長さとが上記のアドレスデータに対応して規定されている。また、バーストパターン領域Ａｂに形成されたバーストパターンは、磁気ディスク１０Ａ上における磁気ヘッド３の位置を補正するためのバースト信号を得るためのパターン（位置検出用のサーボパターン）であって、この磁気ディスク１０Ａでは、第１バースト領域Ａｂ１〜第４バースト領域Ａｂ４の４つの各バースト領域内に平面視四角形状の複数の凹部２２が形成されて構成されている。なお、実際には、磁気ディスク１０Ａの内周側領域や外周側領域において各凹部２２にスキュー角が付与されて凹部２２が平行四辺形状となっているが、本発明についての理解を容易とするために、このスキュー角についての説明および図示を省略する。
【００３９】
また、この磁気ディスク１０Ａでは、バーストパターン領域Ａｂにおける各バースト領域Ａｂ１〜Ａｂ４内の各凹部２２が、それぞれが本発明におけるバースト信号単位部を構成する。また、図５に示すように、各バースト領域Ａｂ１〜Ａｂ４内の各凹部２２は、磁気ディスク１０Ａの回転方向（同図に示す矢印Ｒの向き）に沿った側の両辺２２ａ，２２ｂが平面視円弧状（平面視放物線形状）となるように形成されると共に、磁気ディスク１０Ａの半径方向（同図における上下方向）に沿った側の両辺２２ｃ，２２ｄが平面視円弧状となるように形成されている。
【００４０】
具体的には、回転方向に沿った両辺２２ａ，２２ｂのうちの一方の辺２２ａは、回転方向における両端部から中央部に向かうに従って他方の辺２２ｂに徐々に接近するように形成されて、回転方向における両端部よりも、回転方向における中央部が他方の辺２２ｂ側に位置している。また、回転方向に沿った両辺２２ａ，２２ｂのうちの他方の辺２２ｂは、回転方向における両端部から中央部に向かうに従って他方の辺２２ａに徐々に接近するように形成されて、回転方向における両端部よりも、回転方向における中央部が一方の辺２２ａ側に位置している。さらに、半径方向に沿った両辺２２ｃ，２２ｄのうちの一方の辺２２ｃは、半径方向における両端部から中央部に向かうに従って他方の辺２２ｄに徐々に接近するように形成されて、半径方向における両端部よりも、半径方向における中央部が他方の辺２２ｄ側に位置している。また、半径方向に沿った両辺２２ｃ，２２ｄのうちの他方の辺２２ｄは、半径方向における両端部から中央部に向かうに従って他方の辺２２ｃに徐々に接近するように形成されて、半径方向における両端部よりも、半径方向における中央部が一方の辺２２ｃ側に位置している。なお、一方の辺において両端部から中央部に向かうに従って他方の辺に徐々に接近させる構成は、上記のように一方の辺を平面視円弧状に形成した構成に限定されず、例えば、一方の辺を平面視Ｖ字状に形成する構成（図示せず）を採用することもできる。
【００４１】
この場合、各バースト領域Ａｂ１〜Ａｂ４内の各凹部２２は、一例として、その半径方向の長さＬ１がデータ記録トラックの１トラックピッチに対応する長さで、その回転方向の長さＬ３がプリアンブルパターン領域Ａｐ内の各凹部２２における同一半径位置の回転方向の長さとほぼ等しい長さで形成されている。この結果、この磁気ディスク１０Ａでは、各凹部２２における半径方向の長さＬ１が、従来の磁気ディスク１０ｂＺにおけるバーストパターン領域ＡｂＺ内の各凹部２２Ｚ（従来の磁気ディスク１０ｂＺにおいてバースト信号単位部を構成する凹部２２Ｚ）における半径方向の長さと等しく、かつ、各凹部２２における回転方向の長さＬ３が、従来の磁気ディスク１０ｂＺにおけるバーストパターン領域ＡｂＺ内の各凹部２２Ｚ（従来の磁気ディスク１０ｂＺにおいてバースト信号単位部を構成する凹部２２Ｚ）における回転方向の長さと等しくなっている。
【００４２】
また、各バースト領域Ａｂ１〜Ａｂ４内の各凹部２２は、半径方向に沿った側の辺２２ｃ，２２ｄにおける半径方向に沿った長さＬ１（半径方向における両端部間の長さ）に対する回転方向に沿った側の辺２２ａ，２２ｂにおける回転方向の両端部と回転方向の中央部との間の半径方向に沿った長さＬ２の比が一例として０．０９８（０．２以下の範囲内の一例）となるように形成されている。さらに、各バースト領域Ａｂ１〜Ａｂ４内の各凹部２２は、回転方向に沿った側の辺２２ａ，２２ｂにおける回転方向に沿った長さＬ３（回転方向における両端部間の長さ）に対する半径方向に沿った側の辺２２ｃ，２２ｄにおける半径方向の両端部と半径方向の中央部との間の回転方向に沿った長さＬ４の比が一例として、０．１４９（０．２以下の範囲内の一例）となるように形成されている。
【００４３】
これにより、図６に示すように、この磁気ディスク１０Ａでは、バーストパターン領域Ａｂにおける磁化パターン３０（一例として、ＭＦＭ（磁気力顕微鏡）で観察したパターン）において、各凹部２２に対応する各非磁化領域３２の辺３２ａ〜３２ｄが丸みを帯びることなく、ほぼ直線状となって、各バースト信号単位部（この例では、非磁化領域３２）が平面視四角形状となっている。この場合、この磁気ディスク１０Ａでは、非磁化領域３２における回転方向に沿った側の両辺３２ａ，３２ｂが直線状となっていることで、後述するように、フォロイング精度を十分に向上し得る十分に高精度なバースト信号を得ることが可能となっている。また、この磁気ディスク１０Ａでは、非磁化領域３２における半径方向に沿った側の両辺３２ｃ，３２ｄが直線状となっていることで、各バースト信号単位部（非磁化領域３２）の回転方向に沿った長さと、回転方向において隣り合うバースト信号単位部間の領域（磁化領域３１）の回転方向に沿った長さとが所望の比率（この例では、ほぼ１：１）となっている。これにより、後述するように、その出力レベルが十分に高いバースト信号を得ることが可能となっている。
【００４４】
次に、磁気ディスク１０Ａの製造方法について説明する。
【００４５】
上記の磁気ディスク１０Ａの製造に際しては、軟磁性層１２、中間層１３および磁性層１４等がガラス基材１１の上にこの順で積層された中間体（図示せず）と、図７，８に示すスタンパー４０Ａとを使用する。この場合、磁気ディスク１０Ａを製造する際に使用する中間体は、金属マスク層（図示せず）と、厚み８０ｎｍ程度の樹脂マスク層（レジスト層：図示せず）とが磁性層１４の上に形成されて構成されている。一方、スタンパー４０Ａは、本発明に係る磁気記録媒体製造用のスタンパーの一例であって、図７に示すように、磁気ディスク１０Ａにおける凹凸パターン２０（データトラックパターン２０ｔおよびサーボパターン２０ｓ）を形成するためのマスクパターン（凹凸パターン：図示せず）を樹脂マスク層に形成可能な凹凸パターン４０が形成されて、インプリント法による磁気ディスク１０Ａの製造が可能に構成されている。
【００４６】
この場合、スタンパー４０Ａの凹凸パターン４０は、磁気ディスク１０Ａの凹凸パターン２０に対応して形成されている。具体的には、凹凸パターン４０は、磁気ディスク１０Ａの凹凸パターン２０における各凹部２２に対応して各凸部４１が形成されると共に、磁気ディスク１０Ａの凹凸パターン２０における各凸部２１に対応して各凹部４２が形成されている。したがって、図８に示すように、スタンパー４０Ａにおいて、磁気ディスク１０Ａのバーストパターン領域Ａｂに対応する領域には、磁気ディスク１０Ａのバーストパターン領域Ａｂにおける凸部２１に対応する凹部４２と、バーストパターン領域Ａｂにおける凹部２２に対応する凸部４１とが形成されている。なお、このスタンパー４０Ａの製造方法は特に限定されず、公知の各種のスタンパー製造方法に従って製造することができる。
【００４７】
このスタンパー４０Ａを用いた磁気ディスク１０Ａの製造に際しては、まず、中間体の樹脂マスク層にスタンパー４０Ａの凹凸パターン４０をインプリント法によって転写する。具体的には、スタンパー４０Ａにおける凹凸パターン４０の形成面を中間体の樹脂マスク層に押し付けることにより、凹凸パターン４０の各凸部４１を中間体の樹脂マスク層に押し込む。この際には、各凸部４１が押し込まれた部位のレジスト（樹脂マスク層）が凹凸パターン４０における各凹部４２内に向けて移動する。この後、中間体からスタンパー４０Ａを剥離し、さらに、底面に残存する樹脂（残渣：図示せず）を酸素プラズマ処理によって除去することにより、中間体における金属マスク層の上に樹脂マスク層からなる凹凸パターン（樹脂マスクパターン）が形成される。
【００４８】
次いで、上記の樹脂マスクパターンをマスクとして用いてエッチング処理を実行することにより、金属マスク層をエッチングして、磁性層１４の上に金属マスク層からなる凹凸パターン（金属マスクパターン）を形成する。続いて、金属マスクパターンをマスクとして用いてエッチング処理を実行することにより、磁性層１４をエッチングして、複数の凸部２１および複数の凹部２２を有する凹凸パターン２０を中間体の磁性層１４に形成する。これにより、データトラックパターン２０ｔおよびサーボパターン２０ｓ（凹凸パターン２０）が中間層１３の上に形成される。次いで、各凸部２１の上に残存している金属マスク層をエッチング処理によって選択的に除去して各凸部２１の突端面を露出させる。
【００４９】
続いて、非磁性材料１５としてのＳｉＯ２をスパッタリングすることで、凹凸パターン２０の形成面を非磁性材料１５で覆う。続いて、磁性層１４の上（各凸部２１の上および各凹部２２の上）の非磁性材料１５の層に対してイオンビームエッチング処理を実行する。この際には、一例として、中間体における外周側（後に磁気ディスク１０Ａの外周側領域となる部位）において、各凸部２１における突端面が非磁性材料１５から露出するまでイオンビームエッチング処理を継続する。これにより、中間体の表面が平坦化される。次いで、中間体の表面を覆うようにしてＣＶＤ法によってダイヤモンドライクカーボン（ＤＬＣ）の薄膜を成膜することによって保護層１６を形成した後に、保護層１６の表面にフォンブリン系の潤滑剤を平均厚さが例えば２ｎｍ程度となるように塗布する。これにより、図３に示すように、磁気ディスク１０Ａが完成する。
【００５０】
次いで、バーストパターン領域Ａｂ内の各凹部２２（バースト信号単位部を構成する非記録領域）の形状と、フォロイング精度との関係について、図面を参照して説明する。
【００５１】
バースト信号単位部を構成する各凹部２２（非記録領域）について、一例として、半径方向に沿った側の両辺２２ｃ，２２ｄを従来の磁気ディスク１０ａＺと同様に直線状に形成すると共に、回転方向に沿った側の両辺２２ａ，２２ｂを前述した磁気ディスク１０Ａと同様にして平面視円弧状（平面視放物線形状）となるように形成して実施例１〜４の磁気ディスクおよび比較例２，３の磁気ディスクを製造した。また、バースト信号単位部を構成する各凹部２２（非記録領域）の各辺２２ａ〜２２ｄを従来の磁気ディスク１０ａＺと同様に直線状に形成して比較例１の磁気ディスクを製造した。
【００５２】
この場合、図９に示すように、実施例１の磁気ディスクでは、回転方向に沿った側の両辺２２ａ，２２ｂのうちの一方の辺における両端部と他方の辺における両端部との間の半径方向に沿った長さＬ１に対する一方の辺における両端部と中央部との間の半径方向に沿った長さＬ２の比（長さＬ２を長さＬ１で除した値）が０．０５２（「０．２以下の範囲内の比」の一例）となるように両辺２２ａ，２２ｂを形成した。また、実施例２の磁気ディスクでは、上記の長さＬ１に対する長さＬ２の比が０．０９８（「０．２以下の範囲内の比」の他の一例）となるように両辺２２ａ，２２ｂを形成した。さらに、実施例３の磁気ディスクでは、上記の長さＬ１に対する長さＬ２の比が０．１５７（「０．２以下の範囲内の比」のさらに他の一例）となるように両辺２２ａ，２２ｂを形成した。また、実施例４の磁気ディスクでは、上記の長さＬ１に対する長さＬ２の比が０．１９７（「０．２以下の範囲内の比」のさらに他の一例）となるように両辺２２ａ，２２ｂを形成した。
【００５３】
また、比較例２の磁気ディスクでは、上記の長さＬ１に対する長さＬ２の比が０．２２５（「０．２以下の範囲を外れている比」の一例）となるように両辺２２ａ，２２ｂを形成した。さらに、比較例３の磁気ディスクでは、上記の長さＬ１に対する長さＬ２の比が０．２４８（「０．２以下の範囲を外れている比」の他の一例）となるように両辺２２ａ，２２ｂを形成した。なお、比較例１の磁気ディスクでは、両辺２２ａ，２２ｂを直線状に形成したことにより、上記の長さＬ１に対する長さＬ２の比が０．０００となっている。
【００５４】
また、実施例１〜４の磁気ディスクおよび比較例１〜３の磁気ディスクについて、一例として、ＭＦＭ（磁気力顕微鏡）で磁化パターンを観察し、観察した磁化パターンにおけるバースト信号単位部に対応する非磁化領域について、その回転方向に沿った側の両辺のうちの一方の辺における両端部と他方の辺における両端部との間の半径方向に沿った長さ（上記の凹部２２における長さＬ１に対応する長さ：以下、長さＬ１ａともいう）と、一方の辺における両端部と中央部との間の半径方向に沿った長さ（上記の凹部２２における長さＬ２に対応する長さ：以下、長さＬ２ａともいう）とを測定し、長さＬ１ａに対する長さＬ２ａの比（長さＬ２ａを長さＬ１ａで除した値）をそれぞれ演算した。その演算結果を図９に示す。なお、同図では、バースト信号単位部に対応する非磁化領域の一方の辺における両端部と中央部との間の半径方向に沿った長さのうち、中央部が他方の辺に接近する向きの長さをプラスの値とし、中央部が他方の辺から離間する向きの長さをマイナスの値として長さＬ１ａに対する長さＬ２ａの比を表している。
【００５５】
さらに、実施例１〜４の磁気ディスクおよび比較例１〜３の磁気ディスクについて、そのフォロイング精度の良否を判定すべく、それぞれのＰＥＳ（Position Error Signal ）を測定した。その演算結果、および良否判定の判定結果を図９に示す。なお、同図に示すＰＥＳは、比較例１の磁気ディスク（回転方向に沿った側の両辺２２ａ，２２ｂが直線状に形成されている磁気ディスク）についての測定結果を基準とする値を示している。
【００５６】
同図に示すように、バースト信号単位部を構成する各凹部２２（非記録領域）において長さＬ１に対する長さＬ２の比が０．２以下の範囲内の比となるように両辺２２ａ，２２ｂを形成した実施例１〜４の磁気ディスクでは、磁化パターンにおける非磁化領域の長さＬ１ａに対する長さＬ２ａの比が０．０９０以下（絶対値）となっており、その直線性が十分に向上している。これに対して、バースト信号単位部を構成する各凹部２２の両辺２２ａ，２２ｂを直線状に形成した比較例１の磁気ディスクでは、磁化パターンにおける非磁化領域の長さＬ１ａに対する長さＬ２ａの比が０．１１７（絶対値）となっており、その直線性が悪化している。また、バースト信号単位部を構成する各凹部２２（非記録領域）において長さＬ１に対する長さＬ２の比が０．２以下の範囲内を外れる比となるように両辺２２ａ，２２ｂを形成した比較例２，３の磁気ディスクでは、磁化パターンにおける非磁化領域の長さＬ１ａに対する長さＬ２ａの比が０．１１８以上（絶対値）となっており、その直線性が比較例１の磁気ディスクよりも悪化している。したがって、各凹部２２（非記録領域）において長さＬ１に対する長さＬ２の比が０．２以下の範囲内の比となる条件を満たしつつ、回転方向における両端部よりも回転方向における中央部が他方の辺側に位置するように両辺２２ａ，２２ｂを形成することで、磁化パターンにおける非磁化領域の対応する辺の直線性を十分に向上させることができるのが理解できる。
【００５７】
また、実施例１〜４の磁気ディスクでは、比較例１の磁気ディスクよりもＰＥＳが０．１以上低い０．９０以下となっており、そのフォロイング精度が十分に向上している。これに対して、比較例２の磁気ディスクでは、比較例１の磁気ディスクよりもＰＥＳが０．０１低い１．０１となっており、そのフォロイング精度が比較例１の磁気ディスクよりも僅かに低下している。また、比較例３の磁気ディスクでは、比較例１の磁気ディスクよりもＰＥＳが０．２６低い１．２６となっており、そのフォロイング精度が比較例１の磁気ディスクよりも大きく低下している。したがって、各凹部２２（非記録領域）において長さＬ１に対する長さＬ２の比が０．２以下の範囲内の比となる条件を満たしつつ、回転方向における両端部よりも回転方向における中央部が他方の辺側に位置するように両辺２２ａ，２２ｂを形成することで、そのＰＥＳの向上（フォロイング精度の向上）を図ることができるのが理解できる。
【００５８】
続いて、バーストパターン領域Ａｂ内の各凹部２２（バースト信号単位部を構成する非記録領域）の形状と、バースト信号の出力レベルとの関係について、図面を参照して説明する。
【００５９】
バースト信号単位部を構成する各凹部２２（非記録領域）について、一例として、回転方向に沿った側の両辺２２ａ，２２ｂを従来の磁気ディスク１０ａＺと同様に直線状に形成すると共に、半径方向に沿った側の両辺２２ｃ，２２ｄを前述した磁気ディスク１０Ａと同様にして平面視円弧状（平面視放物線形状）となるように形成して実施例５〜８の磁気ディスクおよび比較例４，５の磁気ディスクを製造した。
【００６０】
この場合、図１０に示すように、実施例５の磁気ディスクでは、半径方向に沿った側の両辺２２ｃ，２２ｄのうちの一方の辺における両端部と他方の辺における両端部との間の回転方向に沿った長さＬ３に対する一方の辺における両端部と中央部との間の回転方向に沿った長さＬ４の比（長さＬ４を長さＬ３で除した値）が０．０４８（「０．２以下の範囲内の比」の一例）となるように両辺２２ｃ，２２ｄを形成した。また、実施例６の磁気ディスクでは、上記の長さＬ３に対する長さＬ４の比が０．０９２（「０．２以下の範囲内の比」の他の一例）となるように両辺２２ｃ，２２ｄを形成した。さらに、実施例７の磁気ディスクでは、上記の長さＬ３に対する長さＬ４の比が０．１４９（「０．２以下の範囲内の比」のさらに他の一例）となるように両辺２２ｃ，２２ｄを形成した。また、実施例８の磁気ディスクでは、上記の長さＬ３に対する長さＬ４の比が０．１９９（「０．２以下の範囲内の比」のさらに他の一例）となるように両辺２２ｃ，２２ｄを形成した。
【００６１】
また、比較例４の磁気ディスクでは、上記の長さＬ３に対する長さＬ４の比が０．２２５（「０．２以下の範囲を外れている比」の一例）となるように両辺２２ｃ，２２ｄを形成した。さらに、比較例５の磁気ディスクでは、上記の長さＬ３に対する長さＬ４の比が０．２５２（「０．２以下の範囲を外れている比」の他の一例）となるように両辺２２ｃ，２２ｄを形成した。
【００６２】
また、実施例５〜８の磁気ディスクおよび比較例１，４，５の磁気ディスクについて、一例として、ＭＦＭ（磁気力顕微鏡）で磁化パターンを観察し、観察した磁化パターンにおけるバースト信号単位部に対応する非磁化領域について、その半径方向に沿った側の両辺のうちの一方の辺における両端部と他方の辺における両端部との間の回転方向に沿った長さ（上記の凹部２２における長さＬ３に対応する長さ：以下、長さＬ３ａともいう）と、一方の辺における両端部と中央部との間の回転方向に沿った長さ（上記の凹部２２における長さＬ４に対応する長さ：以下、長さＬ４ａともいう）とを測定し、長さＬ３ａに対する長さＬ４ａの比（長さＬ４ａを長さＬ３ａで除した値）をそれぞれ演算した。その演算結果を図１０に示す。なお、同図では、バースト信号単位部に対応する非磁化領域の一方の辺における両端部と中央部との間の回転方向に沿った長さのうち、中央部が他方の辺に接近する向きの長さをプラスの値とし、中央部が他方の辺から離間する向きの長さをマイナスの値として長さＬ３ａに対する長さＬ４ａの比を表している。
【００６３】
さらに、実施例５〜８の磁気ディスクおよび比較例１，４，５の磁気ディスクについて、そのバースト出力の良否を判定すべく、それぞれのバースト信号読み取り時における信号出力レベルを測定した。その演算結果、および良否判定の判定結果を図１０に示す。なお、同図に示すバースト出力は、比較例１の磁気ディスク（半径方向に沿った側の両辺２２ｃ，２２ｄが直線状に形成されている磁気ディスク）についての測定結果を基準とする値を示している。
【００６４】
同図に示すように、バースト信号単位部を構成する各凹部２２（非記録領域）において長さＬ３に対する長さＬ４の比が０．２以下の範囲内の比となるように両辺２２ｃ，２２ｄを形成した実施例５〜８の磁気ディスクでは、磁化パターンにおける非磁化領域の長さＬ３ａに対する長さＬ４ａの比が０．０８７以下（絶対値）となっており、その直線性が十分に向上している。これに対して、バースト信号単位部を構成する各凹部２２の両辺２２ｃ，２２ｄを直線状に形成した比較例１の磁気ディスクでは、磁化パターンにおける非磁化領域の長さＬ３ａに対する長さＬ４ａの比が０．１１９（絶対値）となっており、その直線性が悪化している。また、バースト信号単位部を構成する各凹部２２（非記録領域）において長さＬ３に対する長さＬ４の比が０．２以下の範囲内を外れる比となるように両辺２２ｃ，２２ｄを形成した比較例４，５の磁気ディスクでは、磁化パターンにおける非磁化領域の長さＬ３ａに対する長さＬ４ａの比が０．１１８以上（絶対値）となっており、その直線性が比較例１の磁気ディスクと同程度、或いは、比較例１の磁気ディスクよりも悪化している。したがって、各凹部２２（非記録領域）において長さＬ３に対する長さＬ４の比が０．２以下の範囲内の比となる条件を満たしつつ、半径方向における両端部よりも半径方向における中央部が他方の辺側に位置するように両辺２２ｃ，２２ｄを形成することで、磁化パターンにおける非磁化領域の対応する辺の直線性を十分に向上させることができるのが理解できる。
【００６５】
また、実施例５〜８の磁気ディスクでは、比較例１の磁気ディスクよりもバースト出力が１．０４倍以上高いレベルとなっている。これに対して、比較例４の磁気ディスクでは、比較例１の磁気ディスクに対してバースト出力が０．９９倍まで低下している。また、比較例５の磁気ディスクでは、比較例１の磁気ディスクに対してバースト出力が０．９２倍まで低下している。したがって、各凹部２２（非記録領域）において長さＬ３に対する長さＬ４の比が０．２以下の範囲内の比となる条件を満たしつつ、半径方向における両端部よりも半径方向における中央部が他方の辺側に位置するように両辺２２ｃ，２２ｄを形成することで、そのバースト出力を向上させることができるのが理解できる。
【００６６】
このように、この磁気ディスク１０Ａおよび磁気ディスク１０Ａを備えたハードディスクドライブ１では、回転方向に沿った側の両辺２２ａ，２２ｂのうちの少なくとも一方の辺（この例では、双方）において、回転方向における両端部よりも、回転方向における中央部が他方の辺側に位置すると共に、上記の一方の辺（例えば、辺２２ａ）における両端部と他方の辺（この例では、辺２２ｂ）における両端部との間の半径方向に沿った長さＬ１に対する一方の辺（例えば、辺２２ａ）における両端部と中央部との間の半径方向に沿った長さＬ２の比が０．２以下の範囲内（この例では、０．０９８）となるように本発明におけるバースト信号単位部が非記録領域（凹部２２）で形成されている。これにより、この磁気ディスク１０Ａおよび磁気ディスク１０Ａを備えたハードディスクドライブ１によれば、磁化パターン３０においてバースト信号単位部を構成する非磁化領域３２の回転方向に沿った側の両辺３２ａ，３２ｂが丸みを帯びる事態を回避することができるため、その直線性を十分に向上させることができる。したがって、この磁気ディスク１０Ａおよびこのハードディスクドライブ１によれば、十分に高精度なバースト信号を得ることができる結果、フォロイング精度を十分に向上させることができるため、高精度なトラッキングサーボ制御を実行することができる。
【００６７】
また、この磁気ディスク１０Ａおよび磁気ディスク１０Ａを備えたハードディスクドライブ１では、半径方向に沿った側の両辺２２ｃ，２２ｄのうちの少なくとも一方の辺（この例では、双方）において、半径方向における両端部よりも、半径方向における中央部が他方の辺側に位置すると共に、上記の一方の辺（例えば、辺２２ｃ）における両端部と他方の辺（この例では、辺２２ｄ）における両端部との間の回転方向に沿った長さＬ３に対する一方の辺（例えば、辺２２ｃ）における両端部と中央部との間の回転方向に沿った長さＬ４の比が０．２以下の範囲内（この例では、０．１４９）となるように本発明におけるバースト信号単位部が非記録領域（凹部２２）で形成されている。これにより、この磁気ディスク１０Ａおよび磁気ディスク１０Ａを備えたハードディスクドライブ１によれば、磁化パターン３０においてバースト信号単位部を構成する非磁化領域３２の半径方向に沿った側の両辺３２ｃ，３２ｄが丸みを帯びる事態を回避できるため、その直線性を十分に向上させることができる。したがって、この磁気ディスク１０Ａおよびこのハードディスクドライブ１によれば、サーボ信号読み取り用の基本クロックに同期してバースト信号単位部を確実に読み取ることができるため、その出力レベルが十分に高いバースト信号を得ることができる結果、高精度なトラッキングサーボ制御を実行することができる。
【００６８】
さらに、この磁気ディスク１０Ａおよび磁気ディスク１０Ａを備えたハードディスクドライブ１によれば、両端部から中央部に向かうに従って他方の辺に徐々に接近するように一方の辺を形成してバースト信号単位部（凹部２２）を構成したことにより、例えば上記の一方の辺における中央部よりも端部寄りの部位を従来の磁気ディスクと同様に直線状に形成すると共に一方の辺における中央部のみを他方の辺に近接させる構成とは異なり、磁化パターン３０における一方の辺の中央部よりも端部寄りの部位が他方の辺から離間するように磁化パターン３０における一方の辺が非直線状となる事態を回避して、その直線性を確実に向上させることができる。
【００６９】
また、この磁気ディスク１０Ａを製造可能に構成されたスタンパー４０Ａによれば、上記の磁気ディスク１０Ａにおける凹凸パターン２０の記録領域（凸部２１）に対応して形成された凹部４２と、磁気ディスク１０Ａにおける凹凸パターン２０の非記録領域（凹部２２）に対応して形成された凸部４１とを有する凹凸パターン４０を形成したことにより、磁化パターン３０においてバースト信号単位部を構成する非磁化領域３２の各辺３２ａ〜３２ｄの直線性が十分に高い磁気ディスク１０Ａをインプリント法等によって容易に製造することができる。
【００７０】
次いで、本発明に係る磁気記録媒体および記録再生装置の他の実施形態について、図面を参照して説明する。なお、上記の磁気ディスク１０Ａおよび磁気ディスク１０Ａを備えたハードディスクドライブ１と同一の機能を有する同一の構成要素については、同一の符号を付して重複する説明を省略する。
【００７１】
図１１に示す磁気ディスク１０Ｂは、本発明に係る磁気記録媒体の他の一例であるディスクリートトラック媒体（パターンド媒体の一例）であって、前述した磁気ディスク１０Ａと同様にして、全体として円板状に形成されてモータ２の回転軸に取り付けられている。この場合、この磁気ディスク１０Ｂでは、磁気ディスク１０Ａにおけるバーストパターン（サーボパターン２０ｓ）に代えて、平面視四角形状の複数の凸部２１が形成されたバーストパターンがバーストパターン領域Ａｂ（各バースト領域Ａｂ１〜Ａｂ４）内に形成されている。これにより、磁気ディスク１０Ａと同様にして、磁気ディスク１０Ｂ上における磁気ヘッド３の位置を補正するためのバースト信号を得ることができるように構成されている。
【００７２】
この場合、この磁気ディスク１０Ｂでは、バーストパターン領域Ａｂにおける各バースト領域Ａｂ１〜Ａｂ４内の各凸部２１が、それぞれが本発明におけるバースト信号単位部を構成する。また、図１２に示すように、各バースト領域Ａｂ１〜Ａｂ４内の各凸部２１は、磁気ディスク１０Ｂの回転方向（同図に示す矢印Ｒの向き）に沿った側の両辺２１ａ，２１ｂが平面視円弧状（平面視放物線形状）となるように形成されると共に、磁気ディスク１０Ｂの半径方向（同図における上下方向）に沿った側の両辺２１ｃ，２１ｄが平面視円弧状となるように形成されている。
【００７３】
具体的には、回転方向に沿った両辺２１ａ，２１ｂのうちの一方の辺２１ａは、回転方向における両端部から中央部に向かうに従って他方の辺２１ｂに徐々に接近するように形成されて、回転方向における両端部よりも、回転方向における中央部が他方の辺２１ｂ側に位置している。また、回転方向に沿った両辺２１ａ，２１ｂのうちの他方の辺２１ｂは、回転方向における両端部から中央部に向かうに従って他方の辺２１ａに徐々に接近するように形成されて、回転方向における両端部よりも、回転方向における中央部が一方の辺２１ａ側に位置している。さらに、半径方向に沿った両辺２１ｃ，２１ｄのうちの一方の辺２１ｃは、半径方向における両端部から中央部に向かうに従って他方の辺２１ｄに徐々に接近するように形成されて、半径方向における両端部よりも、半径方向における中央部が他方の辺２１ｄ側に位置している。また、半径方向に沿った両辺２１ｃ，２１ｄのうちの他方の辺２１ｄは、半径方向における両端部から中央部に向かうに従って他方の辺２１ｃに徐々に接近するように形成されて、半径方向における両端部よりも、半径方向における中央部が一方の辺２１ｃ側に位置している。なお、一方の辺において両端部から中央部に向かうに従って他方の辺に徐々に接近させる構成は、上記のように一方の辺を平面視円弧状に形成した構成に限定されず、例えば、一方の辺を平面視Ｖ字状に形成する構成（図示せず）を採用することもできる。
【００７４】
この場合、各バースト領域Ａｂ１〜Ａｂ４内の各凸部２１は、一例として、その半径方向の長さＬ１がデータ記録トラックの１トラックピッチに対応する長さで、その回転方向の長さＬ３がプリアンブルパターン領域Ａｐ内の各凸部における同一半径位置の回転方向の長さとほぼ等しい長さで形成されている。この結果、この磁気ディスク１０Ｂでは、各凸部２１における半径方向の長さＬ１が、従来の磁気ディスク１０ａＺにおけるバーストパターン領域ＡｂＺ内の各凸部２１Ｚ（従来の磁気ディスク１０ａＺにおいてバースト信号単位部を構成する凸部２１Ｚ）における半径方向の長さと等しく、かつ、各凸部２１における回転方向の長さＬ３が、従来の磁気ディスク１０ａＺにおけるバーストパターン領域ＡｂＺ内の各凸部２１Ｚ（従来の磁気ディスク１０ａＺにおいてバースト信号単位部を構成する凸部２１Ｚ）における回転方向の長さと等しくなっている。
【００７５】
また、各バースト領域Ａｂ１〜Ａｂ４内の各凸部２１は、半径方向に沿った側の辺２１ｃ，２１ｄにおける半径方向に沿った長さＬ１（半径方向における両端部間の長さ）に対する回転方向に沿った側の辺２２ａ，２２ｂにおける回転方向の両端部と回転方向の中央部との間の半径方向に沿った長さＬ２の比が一例として０．１０１（０．２以下の範囲内の一例）となるように形成されている。さらに、各バースト領域Ａｂ１〜Ａｂ４内の各凸部２１は、回転方向に沿った側の辺２１ａ，２１ｂにおける回転方向に沿った長さＬ３（回転方向における両端部間の長さ）に対する半径方向に沿った側の辺２２ｃ，２２ｄにおける半径方向の両端部と半径方向の中央部との間の回転方向に沿った長さＬ４の比が一例として、０．１５２（０．２以下の範囲内の一例）となるように形成されている。
【００７６】
これにより、図１３に示すように、この磁気ディスク１０Ｂでは、バーストパターン領域Ａｂにおける磁化パターン３０（一例として、ＭＦＭ（磁気力顕微鏡）で観察したパターン）において、各凸部２１に対応する各磁化領域３１の辺３１ａ〜３１ｄが丸みを帯びることなく、ほぼ直線状となって、各バースト信号単位部（この例では、磁化領域３１）が平面視四角形状となっている。この場合、この磁気ディスク１０Ｂでは、磁化領域３１における回転方向に沿った側の両辺３１ａ，３１ｂが直線状となっていることで、後述するように、そのフォロイング精度を十分に向上し得る十分に高精度なバースト信号を得ることが可能となっている。また、この磁気ディスク１０Ｂでは、磁化領域３１における半径方向に沿った側の両辺３１ｃ，３１ｄが直線状となっていることで、各バースト信号単位部（磁化領域３１）の回転方向に沿った長さと、回転方向において隣り合うバースト信号単位部間の領域（非磁化領域３２）の回転方向に沿った長さとが所望の比率（この例では、ほぼ１：１）となっている。これにより、後述するように、その出力レベルが十分に高いバースト信号を得ることが可能となっている。
【００７７】
この磁気ディスク１０Ｂを製造する際には、前述した磁気ディスク１０Ａの製造に際して使用した中間体と、図７に示すスタンパー４０Ｂとを使用する。この場合、スタンパー４０Ｂは、本発明に係る磁気記録媒体製造用のスタンパーの他の一例であって、磁気ディスク１０Ｂにおける凹凸パターン２０（データトラックパターン２０ｔおよびサーボパターン２０ｓ）を形成するためのマスクパターン（凹凸パターン：図示せず）を樹脂マスク層に形成可能な凹凸パターン４０が形成されて、インプリント法による磁気ディスク１０Ｂの製造が可能に構成されている。
【００７８】
このスタンパー４０Ｂにおける凹凸パターン４０は、磁気ディスク１０Ｂの凹凸パターン２０に対応して形成されている。具体的には、凹凸パターン４０は、磁気ディスク１０Ｂの凹凸パターン２０における各凹部２２に対応して各凸部４１が形成されると共に、磁気ディスク１０Ｂの凹凸パターン２０における各凸部２１に対応して各凹部４２が形成されている。したがって、図１４に示すように、スタンパー４０Ｂにおいて、磁気ディスク１０Ｂのバーストパターン領域Ａｂに対応する領域には、磁気ディスク１０Ｂのバーストパターン領域Ａｂにおける凹部２２に対応する凸部４１と、バーストパターン領域Ａｂにおける凸部２１に対応する凹部４２とが形成されている。なお、このスタンパー４０Ｂを用いた磁気ディスク１０Ｂの製造方法は、前述した磁気ディスク１０Ａの製造方法と同様であるため、その説明を省略する。
【００７９】
この磁気ディスク１０Ｂでは、バーストパターン領域Ａｂ内の各凸部２１（バースト信号単位部を構成する記録領域）の形状とフォロイング精度との関係が、上記の磁気ディスク１０Ａにおけるバーストパターン領域Ａｂ内の各凹部２２（バースト信号単位部を構成する非記録領域）の形状とフォロイング精度との関係と同様となっている。
【００８０】
具体的には、バースト信号単位部を構成する各凸部２１（記録領域）について、一例として、半径方向に沿った側の両辺２１ｃ，２１ｄを従来の磁気ディスク１０ａＺと同様に直線状に形成すると共に、回転方向に沿った側の両辺２１ａ，２１ｂを前述した磁気ディスク１０Ｂと同様にして平面視円弧状（平面視放物線形状）となるように形成して実施例９〜１２の磁気ディスクおよび比較例７，８の磁気ディスクを製造した。また、バースト信号単位部を構成する各凸部２１（記録領域）の各辺２１ａ〜２１ｄを従来の磁気ディスク１０ｂＺと同様に直線状に形成して比較例６の磁気ディスクを製造した。
【００８１】
この場合、図１５に示すように、実施例９の磁気ディスクでは、回転方向に沿った側の両辺２１ａ，２１ｂのうちの一方の辺における両端部と他方の辺における両端部との間の半径方向に沿った長さＬ１に対する一方の辺における両端部と中央部との間の半径方向に沿った長さＬ２の比（長さＬ２を長さＬ１で除した値）が０．０５０（「０．２以下の範囲内の比」の一例）となるように両辺２１ａ，２１ｂを形成した。また、実施例１０の磁気ディスクでは、上記の長さＬ１に対する長さＬ２の比が０．１０１（「０．２以下の範囲内の比」の他の一例）となるように両辺２１ａ，２１ｂを形成した。さらに、実施例１１の磁気ディスクでは、上記の長さＬ１に対する長さＬ２の比が０．１５３（「０．２以下の範囲内の比」のさらに他の一例）となるように両辺２１ａ，２１ｂを形成した。また、実施例１２の磁気ディスクでは、上記の長さＬ１に対する長さＬ２の比が０．２００（「０．２以下の範囲内の比」のさらに他の一例）となるように両辺２１ａ，２１ｂを形成した。
【００８２】
また、比較例７の磁気ディスクでは、上記の長さＬ１に対する長さＬ２の比が０．２３０（「０．２以下の範囲を外れている比」の一例）となるように両辺２１ａ，２１ｂを形成した。さらに、比較例８の磁気ディスクでは、上記の長さＬ１に対する長さＬ２の比が０．２４６（「０．２以下の範囲を外れている比」の他の一例）となるように両辺２１ａ，２１ｂを形成した。なお、比較例６の磁気ディスクでは、両辺２１ａ，２１ｂを直線状に形成したことにより、上記の長さＬ１に対する長さＬ２の比が０．０００となっている。
【００８３】
また、実施例９〜１２の磁気ディスクおよび比較例６〜８の磁気ディスクについて、一例として、ＭＦＭ（磁気力顕微鏡）で磁化パターンを観察し、観察した磁化パターンにおけるバースト信号単位部に対応する磁化領域について、その回転方向に沿った側の両辺のうちの一方の辺における両端部と他方の辺における両端部との間の半径方向に沿った長さ（上記の凸部２１における長さＬ１に対応する長さ：以下、長さＬ１ａともいう）と、一方の辺における両端部と中央部との間の半径方向に沿った長さ（上記の凸部２１における長さＬ２に対応する長さ：以下、長さＬ２ａともいう）とを測定し、長さＬ１ａに対する長さＬ２ａの比（長さＬ２ａを長さＬ１ａで除した値）をそれぞれ演算した。その演算結果を図１５に示す。なお、同図では、バースト信号単位部に対応する磁化領域の一方の辺における両端部と中央部との間の半径方向に沿った長さのうち、中央部が他方の辺に接近する向きの長さをプラスの値とし、中央部が他方の辺から離間する向きの長さをマイナスの値として長さＬ１ａに対する長さＬ２ａの比を表している。
【００８４】
さらに、実施例９〜１２の磁気ディスクおよび比較例６〜８の磁気ディスクについて、そのフォロイング精度の良否を判定すべく、それぞれのＰＥＳ（Position Error Signal ）を測定した。その演算結果、および良否判定の判定結果を図１５に示す。なお、同図に示すＰＥＳは、比較例６の磁気ディスク（回転方向に沿った側の両辺２１ａ，２１ｂが直線状に形成されている磁気ディスク）についての測定結果を基準とする値を示している。
【００８５】
同図に示すように、バースト信号単位部を構成する各凸部２１（記録領域）において長さＬ１に対する長さＬ２の比が０．２以下の範囲内の比となるように両辺２１ａ，２１ｂを形成した実施例９〜１２の磁気ディスクでは、磁化パターンにおける磁化領域の長さＬ１ａに対する長さＬ２ａの比が０．０８９以下（絶対値）となっており、その直線性が十分に向上している。これに対して、バースト信号単位部を構成する各凸部２１の両辺２１ａ，２１ｂを直線状に形成した比較例６の磁気ディスクでは、磁化パターンにおける磁化領域の長さＬ１ａに対する長さＬ２ａの比が０．１１９（絶対値）となっており、その直線性が悪化している。また、バースト信号単位部を構成する各凸部２１（記録領域）において長さＬ１に対する長さＬ２の比が０．２以下の範囲内を外れる比となるように両辺２１ａ，２１ｂを形成した比較例７，８の磁気ディスクでは、磁化パターンにおける磁化領域の長さＬ１ａに対する長さＬ２ａの比が０．１２０以上（絶対値）となっており、その直線性が比較例６の磁気ディスクよりも悪化している。したがって、各凸部２１（記録領域）において長さＬ１に対する長さＬ２の比が０．２以下の範囲内の比となる条件を満たしつつ、回転方向における両端部よりも回転方向における中央部が他方の辺側に位置するように両辺２１ａ，２１ｂを形成することで、磁化パターンにおける磁化領域の対応する辺の直線性を十分に向上させることができるのが理解できる。
【００８６】
また、実施例９〜１２の磁気ディスクでは、比較例６の磁気ディスクよりもＰＥＳが０．１以上低い０．８９以下となっており、そのフォロイング精度が十分に向上している。これに対して、比較例７の磁気ディスクでは、比較例６の磁気ディスクよりもＰＥＳが０．０１低い１．０１となっており、そのフォロイング精度が比較例６の磁気ディスクよりも僅かに低下している。また、比較例８の磁気ディスクでは、比較例６の磁気ディスクよりもＰＥＳが０．２４低い１．２４となっており、そのフォロイング精度が比較例６の磁気ディスクよりも著しく低下している。したがって、各凸部２１（記録領域）において長さＬ１に対する長さＬ２の比が０．２以下の範囲内の比となる条件を満たしつつ、回転方向における両端部よりも回転方向における中央部が他方の辺側に位置するように両辺２１ａ，２１ｂを形成することで、そのＰＥＳの向上（フォロイング精度の向上）を図ることができるのが理解できる。
【００８７】
また、この磁気ディスク１０Ｂでは、バーストパターン領域Ａｂ内の各凸部２１（バースト信号単位部を構成する記録領域）の形状とバースト信号の出力レベルとの関係が、上記の磁気ディスク１０Ａにおけるバーストパターン領域Ａｂ内の各凹部２２（バースト信号単位部を構成する非記録領域）の形状とバースト信号の出力レベルとの関係と同様となっている。
【００８８】
具体的には、バースト信号単位部を構成する各凸部２１（記録領域）について、一例として、回転方向に沿った側の両辺２１ａ，２１ｂを従来の磁気ディスク１０ａＺと同様に直線状に形成すると共に、半径方向に沿った側の両辺２１ｃ，２１ｄを前述した磁気ディスク１０Ａと同様にして平面視円弧状（平面視放物線形状）となるように形成して実施例１３〜１６の磁気ディスクおよび比較例９，１０の磁気ディスクを製造した。
【００８９】
この場合、図１６に示すように、実施例１３の磁気ディスクでは、半径方向に沿った側の両辺２１ｃ，２１ｄのうちの一方の辺における両端部と他方の辺における両端部との間の回転方向に沿った長さＬ３に対する一方の辺における両端部と中央部との間の回転方向に沿った長さＬ４の比（長さＬ４を長さＬ３で除した値）が０．０４４（「０．２以下の範囲内の比」の一例）となるように両辺２１ｃ，２１ｄを形成した。また、実施例１４の磁気ディスクでは、上記の長さＬ３に対する長さＬ４の比が０．０９３（「０．２以下の範囲内の比」の他の一例）となるように両辺２１ｃ，２１ｄを形成した。さらに、実施例１５の磁気ディスクでは、上記の長さＬ３に対する長さＬ４の比が０．１５２（「０．２以下の範囲内の比」のさらに他の一例）となるように両辺２１ｃ，２１ｄを形成した。また、実施例１６の磁気ディスクでは、上記の長さＬ３に対する長さＬ４の比が０．１９８（「０．２以下の範囲内の比」のさらに他の一例）となるように両辺２１ｃ，２１ｄを形成した。
【００９０】
また、比較例９の磁気ディスクでは、上記の長さＬ３に対する長さＬ４の比が０．２２６（「０．２以下の範囲を外れている比」の一例）となるように両辺２１ｃ，２１ｄを形成した。さらに、比較例１０の磁気ディスクでは、上記の長さＬ３に対する長さＬ４の比が０．２５６（「０．２以下の範囲を外れている比」の他の一例）となるように両辺２１ｃ，２１ｄを形成した。
【００９１】
また、実施例１３〜１６の磁気ディスクおよび比較例６，９，１０の磁気ディスクについて、一例として、ＭＦＭ（磁気力顕微鏡）で磁化パターンを観察し、観察した磁化パターンにおけるバースト信号単位部に対応する磁化領域について、その半径方向に沿った側の両辺のうちの一方の辺における両端部と他方の辺における両端部との間の回転方向に沿った長さ（上記の凸部２１における長さＬ３に対応する長さ：以下、長さＬ３ａともいう）と、一方の辺における両端部と中央部との間の回転方向に沿った長さ（上記の凸部２１における長さＬ４に対応する長さ：以下、長さＬ４ａともいう）とを測定し、長さＬ３ａに対する長さＬ４ａの比（長さＬ４ａを長さＬ３ａで除した値）をそれぞれ演算した。その演算結果を図１６に示す。なお、同図では、バースト信号単位部に対応する磁化領域の一方の辺における両端部と中央部との間の回転方向に沿った長さのうち、中央部が他方の辺に接近する向きの長さをプラスの値とし、中央部が他方の辺から離間する向きの長さをマイナスの値として長さＬ３ａに対する長さＬ４ａの比を表している。
【００９２】
さらに、実施例１３〜１６の磁気ディスクおよび比較例６，９，１０の磁気ディスクについて、そのバースト出力の良否を判定すべく、それぞれのバースト信号読み取り時における信号出力レベルを測定した。その演算結果、および良否判定の判定結果を図１６に示す。なお、同図に示すバースト出力は、比較例６の磁気ディスク（半径方向に沿った側の両辺２１ｃ，２１ｄが直線状に形成されている磁気ディスク）についての測定結果を基準とする値を示している。
【００９３】
同図に示すように、バースト信号単位部を構成する各凸部２１（記録領域）において長さＬ３に対する長さＬ４の比が０．２以下の範囲内の比となるように両辺２１ｃ，２１ｄを形成した実施例１３〜１６の磁気ディスクでは、磁化パターンにおける磁化領域の長さＬ３ａに対する長さＬ４ａの比が０．０８６以下（絶対値）となっており、その直線性が十分に向上している。これに対して、バースト信号単位部を構成する各凸部２１の両辺２１ｃ，２１ｄを直線状に形成した比較例６の磁気ディスクでは、磁化パターンにおける磁化領域の長さＬ３ａに対する長さＬ４ａの比が０．１２１（絶対値）となっており、その直線性が悪化している。また、バースト信号単位部を構成する各凸部２１（記録領域）において長さＬ３に対する長さＬ４の比が０．２以下の範囲内を外れる比となるように両辺２１ｃ，２１ｄを形成した比較例９，１０の磁気ディスクでは、磁化パターンにおける磁化領域の長さＬ３ａに対する長さＬ４ａの比が０．１１８以上（絶対値）となっており、その直線性が比較例６の磁気ディスクと同程度、或いは、比較例６の磁気ディスクよりも悪化している。したがって、各凸部２１（記録領域）において長さＬ３に対する長さＬ４の比が０．２以下の範囲内の比となる条件を満たしつつ、半径方向における両端部よりも半径方向における中央部が他方の辺側に位置するように両辺２１ｃ，２１ｄを形成することで、磁化パターンにおける磁化領域の対応する辺の直線性を十分に向上させることができるのが理解できる。
【００９４】
また、実施例１３〜１６の磁気ディスクでは、比較例６の磁気ディスクよりもバースト出力が１．０４倍以上高いレベルとなっている。これに対して、比較例９の磁気ディスクでは、比較例６の磁気ディスクに対してバースト出力が０．９９倍まで低下している。また、比較例１０の磁気ディスクでは、比較例６の磁気ディスクに対してバースト出力が０．９１倍まで低下している。したがって、各凸部２１（記録領域）において長さＬ３に対する長さＬ４の比が０．２以下の範囲内の比となる条件を満たしつつ、半径方向における両端部よりも半径方向における中央部が他方の辺側に位置するように両辺２１ｃ，２１ｄを形成することで、そのバースト出力を向上させることができるのが理解できる。
【００９５】
このように、この磁気ディスク１０Ｂおよび磁気ディスク１０Ｂを備えたハードディスクドライブ１では、回転方向に沿った側の両辺２１ａ，２１ｂのうちの少なくとも一方の辺（この例では、双方）において、回転方向における両端部よりも、回転方向における中央部が他方の辺側に位置すると共に、上記の一方の辺（例えば、辺２１ａ）における両端部と他方の辺（この例では、辺２１ｂ）における両端部との間の半径方向に沿った長さＬ１に対する一方の辺（例えば、辺２１ａ）における両端部と中央部との間の半径方向に沿った長さＬ２の比が０．２以下の範囲内（この例では、０．１０１）となるように本発明におけるバースト信号単位部が記録領域（凸部２１）で形成されている。これにより、この磁気ディスク１０Ｂおよび磁気ディスク１０Ｂを備えたハードディスクドライブ１によれば、磁化パターン３０においてバースト信号単位部を構成する磁化領域３１の回転方向に沿った側の両辺３１ａ，３１ｂが丸みを帯びる事態を回避することができるため、その直線性を十分に向上させることができる。したがって、この磁気ディスク１０Ｂおよびこのハードディスクドライブ１によれば、十分に高精度なバースト信号を得ることができる結果、フォロイング精度を十分に向上させることができるため、高精度なトラッキングサーボ制御を実行することができる。
【００９６】
また、この磁気ディスク１０Ｂおよび磁気ディスク１０Ｂを備えたハードディスクドライブ１では、半径方向に沿った側の両辺２１ｃ，２１ｄのうちの少なくとも一方の辺（この例では、双方）において、半径方向における両端部よりも、半径方向における中央部が他方の辺側に位置すると共に、上記の一方の辺（例えば、辺２１ｃ）における両端部と他方の辺（この例では、辺２１ｄ）における両端部との間の回転方向に沿った長さＬ３に対する一方の辺（例えば、辺２１ｃ）における両端部と中央部との間の回転方向に沿った長さＬ４の比が０．２以下の範囲内（この例では、０．１５２）となるように本発明におけるバースト信号単位部が非記録領域（凸部２１）で形成されている。これにより、この磁気ディスク１０Ｂおよび磁気ディスク１０Ｂを備えたハードディスクドライブ１によれば、磁化パターン３０においてバースト信号単位部を構成する磁化領域３１の半径方向に沿った側の両辺３１ｃ，３１ｄが丸みを帯びる事態を回避できるため、その直線性を十分に向上させることができる。したがって、この磁気ディスク１０Ｂおよびこのハードディスクドライブ１によれば、サーボ信号読み取り用の基本クロックに同期してバースト信号単位部を確実に読み取ることができるため、その出力レベルが十分に高いバースト信号を得ることができる結果、高精度なトラッキングサーボ制御を実行することができる。
【００９７】
さらに、この磁気ディスク１０Ｂおよび磁気ディスク１０Ｂを備えたハードディスクドライブ１によれば、両端部から中央部に向かうに従って他方の辺に徐々に接近するように一方の辺を形成してバースト信号単位部（凸部２１）を構成したことにより、例えば上記の一方の辺における中央部よりも端部寄りの部位を従来の磁気ディスクと同様に直線状に形成すると共に一方の辺における中央部のみを他方の辺に近接させる構成とは異なり、磁化パターン３０における一方の辺の中央部よりも端部寄りの部位が他方の辺から離間するように磁化パターン３０における一方の辺が非直線状となる事態を回避して、その直線性を確実に向上させることができる。
【００９８】
また、この磁気ディスク１０Ｂを製造可能に構成されたスタンパー４０Ａによれば、上記の磁気ディスク１０Ｂにおける凹凸パターン２０の記録領域（凸部２１）に対応して形成された凹部４２と、磁気ディスク１０Ｂにおける凹凸パターン２０の非記録領域（凹部２２）に対応して形成された凸部４１とを有する凹凸パターン４０を形成したことにより、磁化パターン３０においてバースト信号単位部を構成する磁化領域３１の各辺３１ａ〜３１ｄの直線性が十分に高い磁気ディスク１０Ｂをインプリント法等によって容易に製造することができる。
【００９９】
なお、本発明は、上記の構成および方法に限定されない。例えば、各バースト信号単位部を構成する凹部２２の４つの辺２２ａ〜２２ｄにおいて対向する両辺の一方における中央部を他方の辺側に位置させるように各辺２２ａ〜２２ｄを形成した磁気ディスク１０Ａと、各バースト信号単位部を構成する凸部２１の４つの辺２１ａ〜２１ｄにおいて対向する両辺の一方における中央部を他方の辺側に位置させるように各辺２１ａ〜２１ｄを形成した磁気ディスク１０Ｂとを例に挙げて説明したが、本発明に係る磁気記録媒体の構成はこれに限定されない。
【０１００】
具体的には、フォロイング精度の向上を目的とするときには、図１７に示す磁気ディスク１０Ｃのように、各バースト信号単位部を構成する凹部２２の４つの辺２２ａ〜２２ｄのうちの回転方向に沿った側の辺２２ａ，２２ｂにおいて、対向する両辺の一方における中央部を他方の辺側に位置させるように形成すると共に、４つの辺２２ａ〜２２ｄのうちの半径方向に沿った側の辺２２ｃ，２２ｄを直線状に形成することもできる。同様にして、図１８に示す磁気ディスク１０Ｄのように、各バースト信号単位部を構成する凸部２１の４つの辺２１ａ〜２１ｄのうちの回転方向に沿った側の辺２１ａ，２１ｂにおいて、対向する両辺の一方における中央部を他方の辺側に位置させるように形成すると共に、４つの辺２１ａ〜２１ｄのうちの半径方向に沿った側の辺２１ｃ，２１ｄを直線状に形成することもできる。このような構成を採用した磁気ディスク１０Ｃ，１０Ｄにおいても、前述した磁気ディスク１０Ａ，１０Ｂと同様にして、その磁化パターンにおけるバースト信号単位部の回転方向に沿った側の両辺が丸みを帯びることなく直線状とすることができるため、そのフォロイング精度を十分に向上させることができる。
【０１０１】
なお、バースト信号単位部を構成する凹部２２や凸部２１について、回転方向に沿った側の辺の磁化パターン３０における直線性を向上させるのを目的としたときに、各辺２２ａ，２２ｂ，２１ａ，２１ｂの形成位置については、図１９に実線で示す位置、一点鎖線で示す位置、および二点鎖線で示す位置等のうちの任意の位置とすることができる。具体的には、同図に実線で示すように、辺２２ａ，２２ｂ，２１ａ，２１ｂの全体を同図に破線で示す凹部２２Ｚおよび凸部２１Ｚ（従来の磁気ディスクにおけるバースト信号単位部を構成する凹部２２Ｚおよび凸部２１Ｚ）の内側に位置させる構成と、同図一点鎖線で示すように、辺２２ａ，２２ｂ，２１ａ，２１ｂにおける両端部を凹部２２Ｚおよび凸部２１Ｚの外側に位置させると共に中央部を凹部２２Ｚおよび凸部２１Ｚの内側に位置させる構成と、同図に二点鎖線で示すように、辺２２ａ，２２ｂ，２１ａ，２１ｂの全体を凹部２２Ｚおよび凸部２１Ｚの外側に位置させる構成とのうちのいずれかを採用することができる。
【０１０２】
また、バースト信号の出力レベルの向上を目的とするときには、図２０に示す磁気ディスク１０Ｅのように、各バースト信号単位部を構成する凹部２２の４つの辺２２ａ〜２２ｄのうちの半径方向に沿った側の辺２２ｃ，２２ｄにおいて、対向する両辺の一方における中央部を他方の辺側に位置させるように形成すると共に、４つの辺２２ａ〜２２ｄのうちの回転方向に沿った側の辺２２ａ，２２ｂを直線状に形成することもできる。同様にして、図２１に示す磁気ディスク１０Ｆのように、各バースト信号単位部を構成する凸部２１の４つの辺２１ａ〜２１ｄのうちの半径方向に沿った側の辺２１ｃ，２１ｄにおいて、対向する両辺の一方における中央部を他方の辺側に位置させるように形成すると共に、４つの辺２１ａ〜２１ｄのうちの回転方向に沿った側の辺２１ａ，２１ｂを直線状に形成することもできる。このような構成を採用した磁気ディスク１０Ｅ，１０Ｆにおいても、前述した磁気ディスク１０Ａ，１０Ｂと同様にして、その磁化パターンにおけるバースト信号単位部の半径方向に沿った側の両辺が丸みを帯びることなく直線状とすることができるため、バースト信号の出力レベルを十分に向上させることができる。
【０１０３】
なお、バースト信号単位部を構成する凹部２２や凸部２１について、半径方向に沿った側の辺の磁化パターン３０における直線性を向上させるのを目的としたときに、各辺２２ｃ，２２ｄ，２１ｃ，２１ｄの形成位置については、図２２に実線で示す位置、一点鎖線で示す位置、および二点鎖線で示す位置等のうちの任意の位置とすることができる。具体的には、同図に実線で示すように、辺２２ｃ，２２ｄ，２１ｃ，２１ｄの全体を同図に破線で示す凹部２２Ｚおよび凸部２１Ｚ（従来の磁気ディスクにおけるバースト信号単位部を構成する凹部２２Ｚおよび凸部２１Ｚ）の内側に位置させる構成と、同図一点鎖線で示すように、辺２２ｃ，２２ｄ，２１ｃ，２１ｄにおける両端部を凹部２２Ｚおよび凸部２１Ｚの外側に位置させると共に中央部を凹部２２Ｚおよび凸部２１Ｚの内側に位置させる構成と、同図に二点鎖線で示すように、辺２２ｃ，２２ｄ，２１ｃ，２１ｄの全体を凹部２２Ｚおよび凸部２１Ｚの外側に位置させる構成とのうちのいずれかを採用することができる。
【０１０４】
さらに、凹凸パターン２０（データトラックパターン２０ｔおよびサーボパターン２０ｓ）における各凸部２１の突端部側から基端部までの全体を磁性層１４（磁性材料）で形成した磁気ディスク１０Ａ，１０Ｂを例に挙げて説明したが、本発明に係る磁気記録媒体の構成はこれに限定されない。具体的には、例えば、図２３に示す磁気ディスク１０Ｇのように、ガラス基材１１に形成した凹凸パターン（凹凸パターン２０と凹凸の位置関係が同様の凹凸パターン）を覆うようにして薄厚の磁性層１４を形成することにより、その表面が磁性材料で形成された複数の凸部２１と底面が磁性材料で形成された複数の凹部２２とによって凹凸パターン２０（データトラックパターン２０ｔおよびサーボパターン２０ｓ）を構成することができる。さらに、図２４に示す磁気ディスク１０Ｈのように、各凸部２１のみならず、各凹部２２の底部を含めて磁性層１４で形成して凹凸パターン２０を構成することもできる。
【０１０５】
また、図２５に示す磁気ディスク１０Ｉのように、その突端部のみが磁性層１４で形成されて基端部側が非磁性材料または軟磁性材料（この例では、ガラス基材１１）で形成された複数の凸部２１を備えて凹凸パターン２０を構成することもできる。この場合、同図に示す磁気ディスク１０Ｉでは、凸部２１の突端部のみが磁性層１４で形成されているが、隣り合う凸部２１，２１の間の凹部２２の底面にも磁性層１４を形成した構成（前述した磁気ディスク１０Ｇにおける凸部２１の側面部位に磁性層１４が存在しない構成：図示せず）を採用することもできる。
【０１０６】
さらに、非磁性材料の層に形成した凹部内に上記の磁性層１４を構成する磁性材料を埋め込むことで非磁性材料の層における凸部の部位を非記録領域（磁気ディスク１０等における凹部２２に対応する領域）とし、凹部内に埋め込まれた磁性材料の部位を記録領域（磁気ディスク１０等における凸部２１に対応する領域）として磁気ディスクを構成することもできる（図示せず）。また、磁性材料の層における所望の領域を選択的に変質させることで磁気的信号を読み出し可能に保持する能力が周囲よりも低い領域、または、その能力を実質的に有しない領域を形成し、磁気的信号を読み出し可能に保持する能力が高い領域を記録領域（磁気ディスク１０等における凸部２１に対応する領域）とし、磁気的信号を読み出し可能に保持する能力が低い領域を非記録領域（磁気ディスク１０等における凹部２２に対応する領域）として磁気ディスクを構成することもできる（図示せず）。
【０１０７】
加えて、データトラックパターン２０ｔおよびサーボパターン２０ｓの双方を凸部２１および凹部２２を有する凹凸パターン２０で構成した例について説明したが、本発明における磁気記録媒体はこれに限定されず、サーボパターン領域Ａｓ内に凹凸パターン２０でサーボパターン２０ｓを形成すると共に、データ記録領域Ａｔ内に連続磁性膜（凹凸が存在しない平坦な磁性層１４）を形成して記録データの記録再生を可能に構成することもできる。
【図面の簡単な説明】
【０１０８】
【図１】ハードディスクドライブ１の構成を示す構成図である。
【図２】磁気ディスク１０Ａ〜１０Ｉの平面図である。
【図３】磁気ディスク１０Ａ〜１０Ｆの断面図である。
【図４】磁気ディスク１０Ａにおけるデータ記録領域Ａｔおよびサーボパターン領域Ａｓの平面図である。
【図５】磁気ディスク１０Ａにおけるバーストパターン領域Ａｂの平面図である。
【図６】磁気ディスク１０Ａにおけるバーストパターン領域Ａｂの磁化パターン３０を示すパターン図である。
【図７】スタンパー４０Ａ，４０Ｂの断面図である。
【図８】スタンパー４０Ａにおけるバーストパターン領域Ａｂに対応する領域の平面図である。
【図９】バースト信号単位部の形状と、磁気ディスクのフォロイング精度との関係について説明するための説明図である。
【図１０】バースト信号単位部の形状と、バースト信号の出力レベルとの関係について説明するための説明図である。
【図１１】磁気ディスク１０Ｂにおけるデータ記録領域Ａｔおよびサーボパターン領域Ａｓの平面図である。
【図１２】磁気ディスク１０Ｂにおけるバーストパターン領域Ａｂの平面図である。
【図１３】磁気ディスク１０Ｂにおけるバーストパターン領域Ａｂの磁化パターン３０を示すパターン図である。
【図１４】スタンパー４０Ｂにおけるバーストパターン領域Ａｂに対応する領域の平面図である。
【図１５】バースト信号単位部の形状と、磁気ディスクのフォロイング精度との関係について説明するための説明図である。
【図１６】バースト信号単位部の形状と、バースト信号の出力レベルとの関係について説明するための説明図である。
【図１７】他の実施の形態に係る磁気ディスク１０Ｃにおけるバーストパターン領域Ａｂの平面図である。
【図１８】他の実施の形態に係る磁気ディスク１０Ｄにおけるバーストパターン領域Ａｂの平面図である。
【図１９】バースト信号単位部における辺２２ａ，２１ａおよび辺２２ｂ，２１ｂの形成位置について説明するための説明図である。
【図２０】他の実施の形態に係る磁気ディスク１０Ｅにおけるバーストパターン領域Ａｂの平面図である。
【図２１】他の実施の形態に係る磁気ディスク１０Ｆにおけるバーストパターン領域Ａｂの平面図である。
【図２２】バースト信号単位部における辺２２ｃ，２１ｃおよび辺２２ｄ，２１ｄの形成位置について説明するための説明図である。
【図２３】他の実施の形態に係る磁気ディスク１０Ｇの断面図である。
【図２４】他の実施の形態に係る磁気ディスク１０Ｈの断面図である。
【図２５】他の実施の形態に係る磁気ディスク１０Ｉの断面図である。
【図２６】従来の磁気ディスク１０ａＺにおけるバーストパターン領域ＡｂＺの平面図である。
【図２７】従来の磁気ディスク１０ａＺにおけるバーストパターン領域ＡｂＺの磁化パターン３０Ｚを示すパターン図である。
【図２８】従来の磁気ディスク１０ｂＺにおけるバーストパターン領域ＡｂＺの平面図である。
【図２９】従来の磁気ディスク１０ｂＺにおけるバーストパターン領域ＡｂＺの磁化パターン３０Ｚを示すパターン図である。
【符号の説明】
【０１０９】
１  ハードディスクドライブ
３  磁気ヘッド
６  制御部
１０Ａ〜１０Ｉ  磁気ディスク
１１  ガラス基材
１２  軟磁性層
１３  中間層
１４  磁性層
１５  非磁性材料
１６  保護層
２０，４０  凹凸パターン
２０ｓ  サーボパターン
２０ｔ  データトラックパターン
２１，４１  凸部
２１ａ〜２１ｄ，２２ａ〜２２ｄ，３１ａ〜３１ｄ，３２ａ〜３２ｄ  辺
２２，４２  凹部
３０  磁化パターン
３１  磁化領域
３２  非磁化領域
４０Ａ，４０Ｂ  スタンパー
Ａｂ  バーストパターン領域
Ａｂ１〜Ａｂ４  第１バースト領域〜第４バースト領域
Ａｓ  サーボパターン領域
Ａｔ  データ記録領域
Ｌ１〜Ｌ４  長さ
Ｒ  矢印
【図１】
2008135102.tif 000003
【図２】
2008135102.tif 000004
【図３】
2008135102.tif 000005
【図４】
2008135102.tif 000006
【図５】
2008135102.tif 000007
【図６】
2008135102.tif 000008
【図７】
2008135102.tif 000009
【図８】
2008135102.tif 000010
【図９】
2008135102.tif 000011
【図１０】
2008135102.tif 000012
【図１１】
2008135102.tif 000013
【図１２】
2008135102.tif 000014
【図１３】
2008135102.tif 000015
【図１４】
2008135102.tif 000016
【図１５】
2008135102.tif 000017
【図１６】
2008135102.tif 000018
【図１７】
2008135102.tif 000019
【図１８】
2008135102.tif 000020
【図１９】
2008135102.tif 000021
【図２０】
2008135102.tif 000022
【図２１】
2008135102.tif 000023
【図２２】
2008135102.tif 000024
【図２３】
2008135102.tif 000025
【図２４】
2008135102.tif 000026
【図２５】
2008135102.tif 000027
【図２６】
2008135102.tif 000028
【図２７】
2008135102.tif 000029
【図２８】
2008135102.tif 000030
【図２９】
2008135102.tif 000031